(57)【要約】  無線通信の方法と装置を提供し、該方法は、第１端末装置と第２端末装置が第１ネットワーク装置を介して無線通信する時、該第１端末装置が第１リンクのリンク品質を測定し、該第１リンクが該第１端末装置と該第１ネットワーク装置の間のリンクであること、及び該第１端末装置が該第１リンクのリンク品質と第１コードレートに基づき、該第１リンクのリンク品質に対する報告処理を行い、該第１コードレートは該第１端末装置に適用できるコードレートに基づき確定されるものであり、又は該第１コードレートは該第２端末装置に適用できるコードレートに基づき確定されるものであることを含み、それにより、リンク品質を報告する通信リソースオーバーヘッドを低減させ、端末装置とネットワーク装置の処理負担を減少することをサポートすることができる。
2019533322.tif 000002
【特許請求の範囲】
【請求項１】
無線通信の方法であって、前記方法は、
第１端末装置と第２端末装置が第１ネットワーク装置を介して無線通信する時、前記第１端末装置が第１リンクのリンク品質を測定し、前記第１リンクが前記第１端末装置と前記第１ネットワーク装置の間のリンクであること、及び
前記第１端末装置が前記第１リンクのリンク品質と第１コードレートに基づき、前記第１リンクのリンク品質に対する報告処理を行い、前記第１コードレートが前記第１端末装置に適用できるコードレートに基づき確定されるものであり、又は前記第１コードレートは前記第２端末装置に適用できるコードレートに基づき確定されるものであること、を含むことを特徴とする無線通信の方法。
【請求項２】
前記第１コードレートは前記第１端末装置に適用できる最大コードレートと前記第２端末装置に適用できる最大コードレートの中の小さい一方であり、又は
前記第１コードレートは第１端末装置に適用できるコードレートの集合と第２端末装置に適用できるコードレートの集合の交わりであり、又は
前記第１コードレートは前記第１端末装置に適用できる最大コードレートであり、又は
前記第１コードレートは前記第１端末装置に適用できるコードレートの集合であり、又は
前記第１コードレートは前記第２端末装置に適用できる最大コードレートであり、又は
前記第１コードレートは前記第２端末装置に適用できるコードレートの集合であることを特徴とする請求項１に記載の方法。
【請求項３】
前記第１端末装置は前記第１リンクのリンク品質と第１コードレートに基づき、前記第１リンクのリンク品質に対する報告処理を行うことは、
前記第１端末装置が第１関係と第２関係に基づき、前記第１リンクのリンク品質に対する報告処理を行い、前記第１関係は前記第１リンクのリンク品質とプリセットの第１品質閾値の間の大きさ関係であり、前記第２関係は前記第１コードレートと推奨コードレートの間の大きさ関係であり、前記推奨コードレートは前記第１ネットワーク装置が現在の時間の前に最後の一回に指示される前記第１端末装置に使用されるコードレートであることを含むことを特徴とする請求項１又は２に記載の方法。
【請求項４】
前記第１端末装置が第１関係と第２関係に基づき、前記第１リンクのリンク品質に対する報告処理を行うことは、
前記第１関係は前記第１リンクのリンク品質が前記第１品質閾値以上であることであり、且つ前記第２関係は第１コードレートが前記推奨コードレートより小さいことであると、前記第１端末装置は前記第１ネットワーク装置へ前記第１リンクのリンク品質を報告しないこと、又は
前記第１関係は前記第１リンクのリンク品質が前記第１品質閾値以上であることであり、且つ前記第２関係は第１コードレートが前記推奨コードレート以上であることであると、前記第１端末装置は前記第１ネットワーク装置へ前記第１リンクのリンク品質を報告することを含むことを特徴とする請求項３に記載の方法。
【請求項５】
前記方法は、
前記第１端末装置が前記第１ネットワーク装置の送信した前記第１品質閾値の指示情報を受信することを更に含むことを特徴とする請求項３又は４に記載の方法。
【請求項６】
前記第１品質閾値は前記推奨コードレートに基づき確定されるものであることを特徴とする請求項３〜５のいずれかに記載の方法。
【請求項７】
前記第１端末装置は前記第１リンクのリンク品質と第１コードレートに基づき、前記第１リンクのリンク品質に対する報告処理を行うことは、
前記第１端末装置が第３関係と第４関係に基づき、前記第１リンクのリンク品質に対する報告処理を行い、前記第３関係は前記第１リンクのリンク品質とプリセットの第２品質閾値の間の大きさ関係であり、前記第４関係は前記第１リンクのリンク品質と基準品質の間の大きさ関係であり、前記基準品質は前記第１コードレートに基づき確定されるものであることを含むことを特徴とする請求項１又は２に記載の方法。
【請求項８】
前記第１端末装置が第３関係と第４関係に基づき、前記第１リンクのリンク品質に対する報告処理を行うことは、
前記第３関係は前記第１リンクのリンク品質が前記第２品質閾値以下であることであり、且つ前記第４関係は前記第１リンクのリンク品質が第１基準品質以上であることであると、前記第１端末装置は前記第１ネットワーク装置へ前記第１リンクのリンク品質を報告しないこと、又は
前記第３関係は前記第１リンクのリンク品質が前記第２品質閾値以下であることであり、且つ前記第４関係は前記第１リンクのリンク品質が第２基準品質より小さいことであると、前記第１端末装置は前記第１ネットワーク装置へ前記第１リンクのリンク品質を報告することを含むことを特徴とする請求項７に記載の方法。
【請求項９】
前記方法は、
前記第１端末装置は前記第１ネットワーク装置の送信した前記第２品質閾値の指示情報と前記基準品質の指示情報を受信することを更に含むことを特徴とする請求項７又は８に記載の方法。
【請求項１０】
前記第２品質閾値は推奨コードレートに基づき確定されるものであることを特徴とする請求項７〜９のいずれかに記載の方法。
【請求項１１】
前記方法は、
前記第１端末装置は前記第１ネットワーク装置へ前記第１コードレートの指示情報を送信することを更に含むことを特徴とする請求項１〜１０のいずれかに記載の方法。
【請求項１２】
無線通信の方法であって、前記方法は、
第１端末装置と第２端末装置は第１ネットワーク装置を介して無線通信する時、前記第１端末装置が第１リンクのリンク品質を測定し、前記第１リンクが前記第１端末装置と前記第１ネットワーク装置の間のリンクであること、及び
前記第１端末装置は前記第１ネットワーク装置へ前記第１リンクのリンク品質の指示情報及び第１コードレートの指示情報を送信し、前記第１コードレートは前記第１端末装置に適用できるコードレートに基づき確定されるものであり、又は前記第１コードレートは前記第２端末装置に適用できるコードレートに基づき確定されるものであることを含むことを特徴とする無線通信の方法。
【請求項１３】
前記第１コードレートは前記第１端末装置に適用できる最大コードレートと前記第２端末装置に適用できる最大コードレートの中の小さい一方であり、又は
第１端末装置に適用できるコードレートの集合と第２端末装置に適用できるコードレートの集合の交わりであり、又は
前記第１コードレートは前記第１端末装置に適用できる最大コードレートであり、又は
前記第１コードレートは前記第１端末装置に適用できるコードレートの集合であり、又は
前記第１コードレートは前記第２端末装置に適用できる最大コードレートであり、又は
前記第１コードレートは前記第２端末装置に適用できるコードレートの集合であることを特徴とする請求項１２に記載の方法。
【請求項１４】
前記第１端末装置は前記第１ネットワーク装置へ前記第１リンクのリンク品質の指示情報及び第１コードレートの指示情報を送信することは、
前記第１端末装置は前記第１リンクのリンク品質がプリセットの第１品質閾値以上であることを確定した後、前記第１ネットワーク装置へ前記第１リンクのリンク品質の指示情報及び第１コードレートの指示情報を送信することを含むことを特徴とする請求項１２又は１３に記載の方法。
【請求項１５】
前記方法は、
前記第１端末装置が前記第１ネットワーク装置の送信した前記第１品質閾値の指示情報を受信することを更に含むことを特徴とする請求項１４に記載の方法。
【請求項１６】
前記第１品質閾値は推奨コードレートに基づき確定されるものであることを特徴とする請求項１４又は１５に記載の方法。
【請求項１７】
前記第１端末装置は前記第１ネットワーク装置へ前記第１リンクのリンク品質の指示情報及び第１コードレートの指示情報を送信することは、
前記第１端末装置は前記第１リンクのリンク品質がプリセットの第２品質閾値以下であると確定した後、前記第１ネットワーク装置へ前記第１リンクのリンク品質の指示情報及び第１コードレートの指示情報を送信することを含むことを特徴とする請求項１２又は１３に記載の方法。
【請求項１８】
前記方法は、
前記第１端末装置が前記第１ネットワーク装置の送信した前記第２品質閾値の指示情報を受信することを更に含むことを特徴とする請求項１７に記載の方法。
【請求項１９】
前記第２品質閾値は推奨コードレートに基づき確定されるものであることを特徴とする請求項１７又は１８に記載の方法。
【請求項２０】
無線通信の方法であって、前記方法は、
第１端末装置と第２端末装置は第１ネットワーク装置を介して無線通信する時、前記第１ネットワーク装置が前記第１端末装置の送信した第１リンクのリンク品質の指示情報及び第１コードレートの指示情報を受信し、前記第１リンクが前記第１端末装置と前記第１ネットワーク装置の間のリンクであり、前記第１コードレートは前記第１端末装置に適用できるコードレートに基づき確定されるものであり、又は前記第１コードレートは前記第２端末装置に適用できるコードレートに基づき確定されるものであること、
前記第１ネットワーク装置が前記第１リンクのリンク品質に基づき目標コードレートを確定すること、及び
前記第１ネットワーク装置が前記目標コードレートと前記第１コードレートの間の大きさ関係に基づき、前記第１端末装置が現在使用しているコードレートに対する調整処理を行うこと、を含むことを特徴とする無線通信の方法。
【請求項２１】
前記第１コードレートは前記第１端末装置に適用できる最大コードレートと前記第２端末装置に適用できる最大コードレートの中の小さい一方であり、又は
第１端末装置に適用できるコードレートの集合と第２端末装置に適用できるコードレートの集合の交わりであり、又は
前記第１コードレートは前記第１端末装置に適用できる最大コードレートであり、又は
前記第１コードレートは前記第１端末装置に適用できるコードレートの集合であり、又は
前記第１コードレートは前記第２端末装置に適用できる最大コードレートであり、又は
前記第１コードレートは前記第２端末装置に適用できるコードレートの集合であることを特徴とする請求項２０に記載の方法。
【請求項２２】
前記第１ネットワーク装置が前記目標コードレートと前記第１コードレートの間の大きさ関係に基づき、前記第１端末装置が現在使用しているコードレートに対する調整処理を行うことは、
前記第１コードレートが前記目標コードレート以下であると、前記第１ネットワーク装置が前記第１端末装置が現在使用しているコードレートを調整しないことを含むことを特徴とする請求項２０又は２１に記載の方法。
【請求項２３】
前記第１ネットワーク装置が前記目標コードレートと前記第１コードレートの間の大きさ関係に基づき、前記第１端末装置が現在使用しているコードレートに対する調整処理を行うことは、
前記第１コードレートが前記目標コードレートより大きいと、前記第１ネットワーク装置は前記第１端末装置が現在使用しているコードレートを前記目標コードレートに調整することを含むことを特徴とする請求項２０又は２１に記載の方法。
【請求項２４】
無線通信の装置であって、前記装置は
前記装置と第２端末装置は第１ネットワーク装置を介して無線通信する時、第１リンクのリンク品質を測定し、前記第１リンクが前記装置と前記第１ネットワーク装置の間のリンクであることに用いられる確定ユニット、及び
前記第１リンクのリンク品質と第１コードレートに基づき、前記第１リンクのリンク品質に対する報告処理を行い、前記第１コードレートは前記装置に適用できるコードレートに基づき確定されるものであり、又は前記第１コードレートは前記第２端末装置に適用できるコードレートに基づき確定されるものであることに用いられる処理ユニット、を備えることを特徴とする無線通信の装置。
【請求項２５】
前記第１コードレートは前記第１端末装置に適用できる最大コードレートと前記第２端末装置に適用できる最大コードレートの中の小さい一方であり、又は
第１端末装置に適用できるコードレートの集合と第２端末装置に適用できるコードレートの集合の交わりであり、又は
前記第１コードレートは前記第１端末装置に適用できる最大コードレートであり、又は
前記第１コードレートは前記第１端末装置に適用できるコードレートの集合であり、又は
前記第１コードレートは前記第２端末装置に適用できる最大コードレートであり、又は
前記第１コードレートは前記第２端末装置に適用できるコードレートの集合であることを特徴とする請求項２４に記載の装置。
【請求項２６】
前記処理ユニットは具体的に、第１関係と第２関係に基づき、前記第１リンクのリンク品質に対する報告処理を行い、前記第１関係は前記第１リンクのリンク品質とプリセットの第１品質閾値の間の大きさ関係であり、前記第２関係は前記第１コードレートと推奨コードレートの間の大きさ関係であり、前記推奨コードレートは前記第１ネットワーク装置が現在の時間の前に最後の一回に指示される前記装置に使用されるコードレートであることに用いられることを特徴とする請求項２４又は２５に記載の装置。
【請求項２７】
前記処理ユニットは具体的に、前記第１関係は前記第１リンクのリンク品質が前記第１品質閾値以上であることであり、且つ前記第２関係は第１コードレートが前記推奨コードレートより小さいことであると、前記第１ネットワーク装置へ前記第１リンクのリンク品質を報告しないことに用いられ、又は
前記処理ユニットは具体的に、前記第１関係は前記第１リンクのリンク品質が前記第１品質閾値以上であることであり、且つ前記第２関係は第１コードレートが前記推奨コードレート以上であることであると、前記第１ネットワーク装置へ前記第１リンクのリンク品質を報告することに用いられることを特徴とする請求項２６に記載の装置。
【請求項２８】
該装置は、
前記第１ネットワーク装置の送信した前記第１品質閾値の指示情報を受信するための通信ユニットを更に含むことを特徴とする請求項２６又は２７に記載の装置。
【請求項２９】
前記第１品質閾値は前記推奨コードレートに基づき確定されるものであることを特徴とする請求項２６〜２８のいずれかに記載の装置。
【請求項３０】
前記処理ユニットは具体的に、第３関係と第４関係に基づき、前記第１リンクのリンク品質に対する報告処理を行うことに用いられ、前記第３関係は前記第１リンクのリンク品質とプリセットの第２品質閾値の間の大きさ関係であり、前記第４関係は前記第１リンクのリンク品質と基準品質の間の大きさ関係であり、前記基準品質は前記第１コードレートに基づき確定されるものであることを特徴とする請求項２４又は２５に記載の装置。
【請求項３１】
前記処理ユニットは具体的に、前記第３関係は前記第１リンクのリンク品質が前記第２品質閾値以下であることであり、且つ前記第４関係は前記第１リンクのリンク品質が第１基準品質以上であることであると、前記第１ネットワーク装置へ前記第１リンクのリンク品質を報告しないことに用いられ、又は
前記処理ユニットは具体的に、前記第３関係は前記第１リンクのリンク品質が前記第２品質閾値以下であることであり、且つ前記第４関係は前記第１リンクのリンク品質が第２基準品質より小さいことであると、前記第１ネットワーク装置へ前記第１リンクのリンク品質を報告することに用いられることを特徴とする請求項３０に記載の装置。
【請求項３２】
前記装置は、
前記第１ネットワーク装置の送信した前記第２品質閾値の指示情報と前記基準品質の指示情報を受信するための通信ユニットを更に備えることを特徴とする請求項３０又は３１に記載の装置。
【請求項３３】
前記第２品質閾値は推奨コードレートに基づき確定されるものであることを特徴とする請求項３０〜３２のいずれかに記載の装置。
【請求項３４】
前記装置は、
前記第１ネットワーク装置へ前記第１コードレートの指示情報を送信するための通信ユニットを更に備えることを特徴とする請求項２４〜３３のいずれかに記載の装置。
【請求項３５】
無線通信の装置であって、前記装置は、
前記装置と第２端末装置は第１ネットワーク装置を介して無線通信する時、第１リンクのリンク品質を測定し、前記第１リンクが前記装置と前記第１ネットワーク装置の間のリンクであることに用いられる確定ユニット、及び
前記第１ネットワーク装置へ前記第１リンクのリンク品質の指示情報及び第１コードレートの指示情報を送信し、前記第１コードレートは前記装置に適用できるコードレートに基づき確定されるものであり、又は前記第１コードレートは前記第２端末装置に適用できるコードレートに基づき確定されるものであることに用いられる通信ユニットを含むことを特徴とする無線通信の装置。
【請求項３６】
前記第１コードレートは前記第１端末装置に適用できる最大コードレートと前記第２端末装置に適用できる最大コードレートの中の小さい一方であり、又は
第１端末装置に適用できるコードレートの集合と第２端末装置に適用できるコードレートの集合の交わりであり、又は
前記第１コードレートは前記第１端末装置に適用できる最大コードレートであり、又は
前記第１コードレートは前記第１端末装置に適用できるコードレートの集合であり、又は
前記第１コードレートは前記第２端末装置に適用できる最大コードレートであり、又は
前記第１コードレートは前記第２端末装置に適用できるコードレートの集合であることを特徴とする請求項３５に記載の装置。
【請求項３７】
前記通信ユニットは具体的に、前記確定ユニットが前記第１リンクのリンク品質がプリセットの第１品質閾値以上であることを確定した後、前記第１ネットワーク装置へ前記第１リンクのリンク品質の指示情報及び第１コードレートの指示情報を送信することに用いられることを特徴とする請求項３５又は３６に記載の装置。
【請求項３８】
前記通信ユニットは更に前記第１ネットワーク装置の送信した前記第１品質閾値の指示情報を受信することに用いられることを特徴とする請求項３７に記載の装置。
【請求項３９】
前記第１品質閾値は推奨コードレートに基づき確定されるものであることを特徴とする請求項３７又は３８に記載の装置。
【請求項４０】
前記通信ユニットは具体的に、前記確定ユニットが前記第１リンクのリンク品質がプリセットの第２品質閾値以下であると確定した後、前記第１ネットワーク装置へ前記第１リンクのリンク品質の指示情報及び第１コードレートの指示情報を送信することに用いられることを特徴とする請求項３５又は３６に記載の装置。
【請求項４１】
前記通信ユニットは更に前記第１ネットワーク装置の送信した前記第２品質閾値の指示情報を受信することに用いられることを特徴とする請求項４０に記載の装置。
【請求項４２】
前記第２品質閾値は推奨コードレートに基づき確定されるものであることを特徴とする請求項４０又は４１に記載の装置。
【請求項４３】
無線通信の装置であって、前記装置は、
第１端末装置と第２端末装置は前記装置を介して無線通信する時、前記第１端末装置の送信した第１リンクのリンク品質の指示情報及び第１コードレートの指示情報を受信し、前記第１リンクが前記第１端末装置と前記装置の間のリンクであり、前記第１コードレートは前記第１端末装置に適用できるコードレートに基づき確定されるものであり、又は前記第１コードレートは前記第２端末装置に適用できるコードレートに基づき確定されるものであることに用いられる通信ユニット、
前記第１リンクのリンク品質に基づき目標コードレートを確定することに用いられる確定ユニット、及び
前記目標コードレートと前記第１コードレートの間の大きさ関係に基づき、前記第１端末装置が現在使用しているコードレートに対する調整処理を行うことに用いられる処理ユニット、を備えることを特徴とする無線通信の装置。
【請求項４４】
前記第１コードレートは前記第１端末装置に適用できる最大コードレートと前記第２端末装置に適用できる最大コードレートの中の小さい一方であり、又は
第１端末装置に適用できるコードレートの集合と第２端末装置に適用できるコードレートの集合の交わりであり、又は
前記第１コードレートは前記第１端末装置に適用できる最大コードレートであり、又は
前記第１コードレートは前記第１端末装置に適用できるコードレートの集合であり、又は
前記第１コードレートは前記第２端末装置に適用できる最大コードレートであり、又は
前記第１コードレートは前記第２端末装置に適用できるコードレートの集合であることを特徴とする請求項４３に記載の装置。
【請求項４５】
前記処理ユニットは具体的に、前記第１コードレートが前記目標コードレート以下であると、前記第１端末装置が現在使用しているコードレートを調整しないことに用いられることを特徴とする請求項４３又は４４に記載の装置。
【請求項４６】
前記処理ユニットは具体的に、前記第１コードレートが前記目標コードレートより大きいと、前記第１端末装置が現在使用しているコードレートを前記目標コードレートに調整することに用いられることを特徴とする請求項４３又は４４に記載の装置。
【発明の詳細な説明】
【技術分野】
【０００１】
本発明の実施例は通信分野に関し、且つより具体的に無線通信の方法及び装置に関する。
【背景技術】
【０００２】
現在、端末装置が相手端（受信端とも呼ばれる）に送信する必要があるデータ（例えば、音声データ又は画像データ等）をエンコードすることができ、且つエンコード後のデータをアクセスしたネットワーク装置（例えば、アクセスネット装置）を介して相手端に送信することができる無線通信技術が知られる。
【０００３】
上記伝送過程において、伝送の信頼性及び正確性を確保するために、端末装置はネットワーク装置との間の通信リンクのリンク品質を検出して、該通信リンクのリンク品質をネットワーク装置に報告することができ、それにより、ネットワーク装置は通信リンクのリンク品質に基づき端末装置がデータをエンコードする過程において使用したコードレートを調整することができる。
【０００４】
しかし、該技術において、符号化・復号化能力（例えば、適用できるコードレート）の制限によって端末装置或いは相手端がネットワーク装置を介して調整したコードレートをサポートできない場合が発生する可能性があり、即ち、通信リンクのリンク品質過程及びネットワーク装置の調整過程は所望の効果を得ることができず、上記の通信リンクのリンク品質を報告する過程に使用される通信リソースの浪費を引き起こし、且つ端末装置とネットワーク装置の処理リソースの浪費を引き起こしてしまう。
【発明の概要】
【発明が解決しようとする課題】
【０００５】
本発明の実施例は無線通信の方法及び装置を提供し、リンク品質を報告する通信リソースオーバーヘッドを低減させ、端末装置とネットワーク装置の処理負担を減少することをサポートすることができる。
【課題を解決するための手段】
【０００６】
第１態様において、無線通信の方法を提供し、該方法は、第１端末装置と第２端末装置が第１ネットワーク装置を介して無線通信する時、該第１端末装置は第１リンクのリンク品質を測定し、該第１リンクが該第１端末装置と該第１ネットワーク装置の間のリンクであること、及び該第１端末装置は該第１リンクのリンク品質と第１コードレートに基づき、該第１リンクのリンク品質に対する報告処理を行い、該第１コードレートは該第１端末装置の適用できるコードレートに基づき確定されるものであり、又は該第１コードレートは該第２端末装置の適用できるコードレートに基づき確定されるものであることを含む。
【０００７】
第１態様を組み合わせて、第１態様の第１種の実現方法において、該第１コードレートは該第１端末装置の適用できる最大コードレートと該第２端末装置の適用できる最大コードレートの中の小さい一方であり、又は該第１コードレートは第１端末装置の適用できるコードレートの集合と第２端末装置の適用できるコードレートの集合の交わりであり、又は該第１コードレートは該第１端末装置の適用できる最大コードレートであり、又は該第１コードレートは該第１端末装置の適用できるコードレートの集合であり、又は該第１コードレートは該第２端末装置の適用できる最大コードレートであり、又は該第１コードレートは該第２端末装置の適用できるコードレートの集合である。
【０００８】
第１態様及びその上記の実現方法を組み合わせて、第１態様の第２種の実現方法において、該第１端末装置が該第１リンクのリンク品質と第１コードレートに基づき、該第１リンクのリンク品質に対する報告処理を行うことは、該第１端末装置は第１関係と第２関係に基づき、該第１リンクのリンク品質に対する報告処理を行い、該第１関係は該第１リンクのリンク品質とプリセットの第１品質閾値の間の大きさ関係であり、該第２関係は該第１コードレートと推奨コードレートの間の大きさ関係であり、該推奨コードレートは該第１ネットワーク装置が現在の時間の前に最後の一回に指示される該第１端末装置に使用されるコードレートであることを含む。
【０００９】
第１態様及びその上記の実現方法を組み合わせて、第１態様の第３種の実現方法において、該第１端末装置が第１関係と第２関係に基づき、該第１リンクのリンク品質に対する報告処理を行うことは、該第１関係は該第１リンクのリンク品質が該第１品質閾値以上であることであり、且つ該第２関係は第１コードレートが該推奨コードレートより小さいと、該第１端末装置は該第１ネットワーク装置へ該第１リンクのリンク品質を報告せず、又は該第１関係は該第１リンクのリンク品質が該第１品質閾値以上であることであり、且つ該第２関係は第１コードレートが該推奨コードレート以上であることであると、該第１端末装置は該第１ネットワーク装置へ該第１リンクのリンク品質を報告することを含む。
【００１０】
第１態様及びその上記の実現方法を組み合わせて、第１態様の第４種の実現方法において、該方法は該第１端末装置が該第１ネットワーク装置の送信した該第１品質閾値の指示情報を受信することを更に含む。
【００１１】
第１態様及びその上記の実現方法を組み合わせて、第１態様の第五種の実現方法において、該第１品質閾値は該推奨コードレートに基づき確定されるものである。
【００１２】
第１態様及びその上記の実現方法を組み合わせて、第１態様の第六種の実現方法において、該第１端末装置が該第１リンクのリンク品質と第１コードレートに基づき、該第１リンクのリンク品質に対する報告処理を行うことは、該第１端末装置は第３関係と第４関係に基づき、該第１リンクのリンク品質に対する報告処理を行い、該第３関係は該第１リンクのリンク品質とプリセットの第２品質閾値の間の大きさ関係であり、該第４関係は該第１リンクのリンク品質と基準品質の間の大きさ関係であり、該基準品質は該第１コードレートに基づき確定されるものであることを含む。
【００１３】
第１態様及びその上記の実現方法を組み合わせて、第１態様の第七種の実現方法において、該第１端末装置が第３関係と第４関係に基づき、該第１リンクのリンク品質に対する報告処理を行うことは、該第３関係は該第１リンクのリンク品質が該第２品質閾値以下であることであり、且つ該第４関係は該第１リンクのリンク品質が第１基準品質以上であることであると、該第１端末装置は該第１ネットワーク装置へ該第１リンクのリンク品質を報告せず、又は該第３関係は該第１リンクのリンク品質が該第２品質閾値以下であることであり、且つ該第４関係は該第１リンクのリンク品質が第２基準品質より小さいであると、該第１端末装置は該第１ネットワーク装置へ該第１リンクのリンク品質を報告することを含む。
【００１４】
第１態様及びその上記の実現方法を組み合わせて、第１態様の第八種の実現方法において、該方法は、該第１端末装置が該第１ネットワーク装置の送信した該第２品質閾値の指示情報と該基準品質の指示情報を受信することを更に含む。
【００１５】
第１態様及びその上記の実現方法を組み合わせ、第１態様の第九種の実現方法において、該第２品質閾値は該推奨コードレートに基づき確定されるものである。
【００１６】
第１態様及びその上記の実現方法を組み合わせて、第１態様の第十種の実現方法において、該方法は、該第１端末装置が該第１ネットワーク装置へ該第１コードレートの指示情報を送信するを更に含む。
【００１７】
第２態様において、無線通信の方法を提供し、該方法は、第１端末装置と第２端末装置は第１ネットワーク装置を介して無線通信する時、該第１端末装置は第１リンクのリンク品質を測定し、該第１リンクは該第１端末装置と該第１ネットワーク装置の間のリンクであること、及び該第１端末装置は該第１ネットワーク装置へ該第１リンクのリンク品質の指示情報及び第１コードレートの指示情報を送信し、該第１コードレートは該第１端末装置の適用できるコードレートに基づき確定されるものであり、又は該第１コードレートは該第２端末装置の適用できるコードレートに基づき確定されるものであることを含む。
【００１８】
第２態様を組み合わせて、第２態様の第１種の実現方法において、該第１コードレートは該第１端末装置に適用できる最大コードレートと該第２端末装置に適用できる最大コードレートの中の小さい一方であり、又は該第１コードレートは第１端末装置に適用できるコードレートの集合と第２端末装置に適用できるコードレートの集合の交わりであり、又は該第１コードレートは該第１端末装置に適用できる最大コードレートであり、又は該第１コードレートは該第１端末装置に適用できるコードレートの集合であり、又は該第１コードレートは該第２端末装置に適用できる最大コードレートであり、又は該第１コードレートは該第２端末装置に適用できるコードレートの集合である。
【００１９】
第２態様及びその上記実現方法を組み合わせて、第２態様の第２種の実現方法において、該第１端末装置が該第１ネットワーク装置へ該第１リンクのリンク品質の指示情報及び第１コードレートの指示情報を送信することは、該第１端末装置は該第１リンクのリンク品質がプリセットの第１品質閾値以上であることを確定した後、該第１ネットワーク装置へ該第１リンクのリンク品質の指示情報及び第１コードレートの指示情報を送信することを含む。
【００２０】
第２態様及びその上記実現方法を組み合わせて、第２態様の第３種の実現方法において、該方法は、該第１端末装置が該第１ネットワーク装置の送信した該第１品質閾値の指示情報を受信することを更に含む。
【００２１】
第２態様及びその上記実現方法を組み合わせて、第２態様の第４種の実現方法において、該第１品質閾値は該推奨コードレートに基づき確定されるものである。
【００２２】
第２態様及びその上記実現方法を組み合わせて、第２態様の第五種の実現方法において、該第１端末装置が該第１ネットワーク装置へ該第１リンクのリンク品質の指示情報及び第１コードレートの指示情報を送信することは、該第１端末装置は該第１リンクのリンク品質がプリセットの第２品質閾値以下であることを確定した後、該第１ネットワーク装置へ該第１リンクのリンク品質の指示情報及び第１コードレートの指示情報を送信することを含む。
【００２３】
第２態様及びその上記実現方法を組み合わせて、第２態様の第六種の実現方法において、該方法は、該第１端末装置が該第１ネットワーク装置の送信した該第２品質閾値の指示情報を受信することを更に含む。
【００２４】
第２態様及びその上記実現方法を組み合わせて、第２態様の第七種の実現方法において、該第１品質閾値は該推奨コードレートに基づき確定されるものである。
【００２５】
第３態様において、無線通信の方法を提供し、該方法は、第１端末装置と第２端末装置は第１ネットワーク装置を介して無線通信する時、該第１ネットワーク装置は該第１端末装置の送信した第１リンクのリンク品質の指示情報及び第１コードレートの指示情報を受信し、該第１リンクは該第１端末装置と該第１ネットワーク装置の間のリンクであり、該第１コードレートは該第１端末装置に適用できるコードレートに基づき確定されるものであり、又は該第１コードレートは該第２端末装置に適用できるコードレートに基づき確定されるものであること、該第１ネットワーク装置は該第１リンクのリンク品質に基づき目標コードレートを確定すること、及び該第１ネットワーク装置は該目標コードレートと該第１コードレートの間の大きさ関係に基づき、該第１端末装置が現在使用しているコードレートに対する調整処理を行うことを含む。
【００２６】
第３態様を組み合わせて、第３態様の第１種の実現方法において、該第１コードレートは該第１端末装置に適用できる最大コードレートと該第２端末装置に適用できる最大コードレートの中の小さい一方であり、又は該第１コードレートは第１端末装置に適用できるコードレートの集合と第２端末装置に適用できるコードレートの集合の交わりであり、又は該第１コードレートは該第１端末装置に適用できる最大コードレートであり、又は該第１コードレートは該第１端末装置に適用できるコードレートの集合であり、又は該第１コードレートは該第２端末装置に適用できる最大コードレートであり、又は該第１コードレートは該第２端末装置に適用できるコードレートの集合である。
【００２７】
第３態様及びその上記実現方法を組み合わせて、第３態様の第２種の実現方法において、該第１ネットワーク装置が該目標コードレートと該第１コードレートの間の大きさ関係に基づき、該第１端末装置が現在使用しているコードレートに対する調整処理を行うことは、該第１コードレートが該目標コードレート以下であると、該第１ネットワーク装置は該第１端末装置が現在使用しているコードレートを調整しないことを含む。
【００２８】
第３態様及びその上記実現方法を組み合わせて、第３態様の第３種の実現方法において、該第１ネットワーク装置が該目標コードレートと該第１コードレートの間の大きさ関係に基づき、該第１端末装置が現在使用しているコードレートに対する調整処理を行うことは、該第１コードレートが該目標コードレートよりも大きいと、該第１ネットワーク装置は該第１端末装置が現在使用しているコードレートを該目標コードレートに調整することを含む。
【００２９】
第４態様において、無線通信の装置を提供し、上記第１態様及び第１態様の各実現方法の中の無線通信の方法の各ステップを実行するためのユニットを含む。
【００３０】
第五態様において、無線通信の装置を提供し、上記第２態様及び第２態様の各実現方法の中の無線通信の方法の各ステップを実行するためのユニットを含む。
【００３１】
第六態様において、無線通信の装置を提供し、上記第３態様及び第３態様の各実現方法の中の無線通信の方法の各ステップを実行するためのユニットを含む。
【００３２】
第七態様において、無線通信の装置を提供し、メモリとプロセッサーを含み、該メモリはコンピュータプログラムを記憶することに用いられ、該プロセッサーはメモリから該コンピュータプログラムを呼び出して運行することに用いられ、これにより第１端末装置は上記第１態様及びその各種の実現方法の中の任意の１種の無線通信の方法を実行する。
【００３３】
第八態様において、無線通信の装置を提供し、メモリとプロセッサーを含み、該メモリはコンピュータプログラムを記憶することに用いられ、該プロセッサーはメモリから該コンピュータプログラムを呼び出して運行することに用いられ、これにより第１端末装置は上記第２態様及びその各種の実現方法の中の任意の１種の無線通信の方法を実行する。
【００３４】
第九態様において、無線通信の装置を提供し、メモリとプロセッサーを含み、該メモリはコンピュータプログラムを記憶することに用いられ、該プロセッサーはメモリから該コンピュータプログラムを呼び出して運行することに用いられ、これにより第１ネットワーク装置は上記第３態様及びその各種の実現方法の中の任意の１種の無線通信の方法を実行する。
【００３５】
第十態様において、コンピュータプログラム製品を提供し、前記コンピュータプログラム製品はコンピュータプログラムコードを含み、前記コンピュータプログラムコードが端末装置の処理ユニット、送信ユニット又はプロセッサー、トランスミッタで運行される時、該端末装置は上記第１態様及びその各種の実現方法の中の任意の１種の無線通信の方法を実行する。
【００３６】
第十一態様において、コンピュータプログラム製品を提供し、前記コンピュータプログラム製品はコンピュータプログラムコードを含み、前記コンピュータプログラムコードが端末装置の受信ユニット、処理ユニット又は受信機、プロセッサーで運行される時、該端末装置は上記第２態様及びその各種の実現方法の中の任意の１種の無線通信の方法を実行する。
【００３７】
第十二態様において、コンピュータプログラム製品を提供し、前記コンピュータプログラム製品はコンピュータプログラムコードを含み、前記コンピュータプログラムコードがネットワーク装置の受信ユニット、処理ユニット又は受信機、プロセッサーで運行される時、該ネットワーク装置は上記第３態様及びその各種の実現方法の中の任意の１種の無線通信の方法を実行する。
【００３８】
第十三態様において、コンピュータ読み取り可能な記憶メディアを提供し、前記コンピュータ読み取り可能な記憶メディアにプログラムが記憶され、前記プログラムは端末装置が上記第１態様及びその各種の実現方法の中の任意の１種の無線通信の方法を実行するようにする。
【００３９】
第十四態様において、コンピュータ読み取り可能な記憶メディアを提供し、前記コンピュータ読み取り可能な記憶メディアにプログラムが記憶され、前記プログラムは端末装置が上記第２態様及びその各種の実現方法の中の任意の１種の無線通信の方法を実行するようにする。
【００４０】
第十五態様において、コンピュータ読み取り可能な記憶メディアを提供し、前記コンピュータ読み取り可能な記憶メディアにプログラムが記憶され、前記プログラムはネットワーク装置が上記第３態様及びその各種の実現方法の中の任意の１種の無線通信の方法を実行するようにする。
【００４１】
上記各態様及びその実現方法を組み合わせて、ある実現方法において、該コードレートはアプリケーション層でオーディオとビデオデータをエンコード又はデコードする時使用されるコードレートであり、又は、該コードレートはアクセス層がオーディオとビデオデータを伝送する時使用されるビットレートである。
【発明の効果】
【００４２】
本発明の実施例による無線通信の方法及び装置は、端末装置がリンクの品質を測定した後、リンクの品質と第１コードレートがプリセットの条件を満たすか否かを判定し、且つ該判定結果に基づきリンクの品質を報告するか否かを確定し、或いは、端末装置はリンクの品質と第１コードレートをともにネットワーク装置に報告し、上記プリセット条件は端末装置又は相手端に適用できるコードレートに基づいて確定されるものであり、リンクの品質を報告した後、ネットワーク装置が該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することをサポートすることができる。
【図面の簡単な説明】
【００４３】
本発明の実施例の技術案をより明確に説明するために、以下、本発明の実施例に使用する必要な図面を簡単に紹介し、明らかに、以下に記載の図面は単に本発明の幾つかの実施例であり、当業者にとって、創造的な労働がなければ、更にこれらの図面によって他の図面を得ることができる。
【００４４】
【図１】図１は本発明の実施例の通信システムの一例の概略アーキテクチャ図である。
【図２】図２は本発明の実施例の通信システムの他例の概略アーキテクチャ図である。
【図３】図３は本発明の実施例の無線通信の方法の一例の模式的なインタラクションダイアグラムである。
【図４】図４は本発明の実施例の無線通信の方法の他例の模式的なインタラクションダイアグラムである。
【図５】図５は本発明の実施例の無線通信の装置の一例の模式的なブロック図である。
【図６】図６は本発明の実施例の無線通信の装置の他例の模式的なブロック図である。
【図７】図７は本発明の実施例の無線通信の装置の別の例の模式的なブロック図である。
【図８】図８は本発明の実施例の無線通信の装置の一例の模式的なブロック図である。
【図９】図９は本発明の実施例の無線通信の装置の他例の模式的なブロック図である。
【図１０】図１０は本発明の実施例の無線通信の装置の別の例の模式的なブロック図である。
【発明を実施するための形態】
【００４５】
以下、本発明の実施例における図面を組わせて、本発明の実施例の中の技術案を明確、完全に説明し、明らかに、説明した実施例は本発明の一部の実施例であり、すべての実施例ではない。本発明における実施例に基づいて、当業者は創造的な作業なしに得られた他のすべての他の実施例は、すべて本発明の保護の範囲に属する。
【００４６】
本明細書に使用された用語「部材」、「モジュール」、「システム」等はコンピュータに関する実体、ハードウェア、ファームウェア、ハードウェア及びソフトウェアの組み合わせ、ソフトウェア、又は実行中のソフトウェアを示すことに用いる。例えば、部材は、プロセッサーで運行するプロセス、プロセッサー、対象、実行可能ファイル、実行スレッド、プログラム及び／又はコンピュータであってもよいが、これらに限定されない。図示によって、コンピューティング装置で運行するアプリケーション及びコンピューティング装置はすべて部材であってもよい。１つ又は複数の部材がプロセス及び／又は実行スレッドに滞在することができ、部材は１つのコンピュータにあってもよく、及び／又は２つ又はより多いコンピュータに分布されてもよい。なお、これらの部材はその上に各種のデータ構造が記憶された各種のコンピュータ可読媒体から実行されることができる。部材は例えば１つ又は複数のデータパケット（例えばローカルシステム、分布式システム及び／又はネットワーク間の他の部材とインタラクションする２つの部材からのデータ、例えば信号によって他のシステムとインタラクションするインターネット）を有する信号に基づきローカル及び／又はリモートプロセスによって通信することができる。
【００４７】
本発明の実施例の技術案は従来のセルラー通信システム、例えばグローバル移動通信（英語の全称はＧｌｏｂａｌ  Ｓｙｓｔｅｍ  ｆｏｒ  Ｍｏｂｉｌｅ  Ｃｏｍｍｕｎｉｃａｔｉｏｎであってもよく、英語の略語はＧＳＭであってもよい）、コード分割多重アクセス（英語の全称はＣｏｄｅ  Ｄｉｖｉｓｉｏｎ  Ｍｕｌｔｉｐｌｅ  Ａｃｃｅｓｓであってもよく、英語の略語はＣＤＭＡであってもよい）、ブロードバンドコード分割多重アクセス（英語の全称はＷｉｄｅｂａｎｄ  Ｃｏｄｅ  Ｄｉｖｉｓｉｏｎ  Ｍｕｌｔｉｐｌｅ  Ａｃｃｅｓｓであってもよく、英語の略語はＷＣＤＭＡであってもよい）、汎用パケット無線サービス（英語の全称はＧｅｎｅｒａｌ  Ｐａｃｋｅｔ  Ｒａｄｉｏ  Ｓｅｒｖｉｃｅであってもよく、英語の略語はＧＰＲＳであってもよい）、汎用移動通信（英語の全称はＵｎｉｖｅｒｓａｌ  Ｍｏｂｉｌｅ  Ｔｅｌｅｃｏｍｍｕｎｉｃａｔｉｏｎｓ  Ｓｙｓｔｅｍであってもよく、英語の略語はＵＭＴＳであってもよい）、長期的な進化（英語の全称はＬｏｎｇ  Ｔｅｒｍ  Ｅｖｏｌｕｔｉｏｎであってもよく、英語の略語はＬＴＥであってもよい）等のシステムに応用されることができ、特に４．５ＧのＬＴＥ進化システムと５Ｇの無線通信システムに応用される。適用された通信は主に音声及びデータ通信に対するものである。一般的には、１つの従来の基地局に適用される接続数が有限であり、実現しやすい。
【００４８】
次世代の移動通信システムは従来の通信をサポートするだけでなく、Ｍ２Ｍ  （英語の全称はＭａｃｈｉｎｅ  ｔｏ  Ｍａｃｈｉｎｅであってもよい）通信、或いはＭＴＣ（英語の全称はＭａｃｈｉｎｅ  Ｔｙｐｅ  Ｃｏｍｍｕｎｉｃａｔｉｏｎであってもよい）通信をサポートすることができる。予測に基づき、２０２０年まで、ネットワークに接続されたＭＴＣ装置は５００〜１０００億までに達し、このように現在の接続数をはるかに超える。Ｍ２Ｍ類サービスに対して、そのサービス種類が大きく異なるので、ネットワークに対する需要は大きな違いがある。一般的に言えば、以下の数種の需要が存在する。
【００４９】
信頼性の高い伝送であるが、遅延に敏感ではないこと。
【００５０】
低遅延、高信頼性の伝送。
【００５１】
信頼性の高い伝送で、遅延に敏感ではないサービスを処理しやすい。しかし、低遅延、高信頼性の伝送類のサービスに対して、伝送遅延が短いことを要求するだけでなく、高信頼性を要求し、例えばＶ２Ｖ（英語でのフルネームはＶｅｈｉｃｌｅ  ｔｏ  Ｖｅｈｉｃｌｅである）サービスがある。伝送の信頼性が高くないと、再送信を引き起こして伝送遅延が大きすぎることが発生し、要求を満たすことができない。
【００５２】
大量の接続の存在によって、将来の無線通信システムと従来の通信システムには大きな違いがある。大量の接続によって、端末装置にアクセスするためにより多いリソースを消耗する必要があり、且つ端末装置のデータ伝送に関するスケジューリングシグナリングを伝送するためにより多いリソースを消耗する必要がある。本発明の実施例による技術案は上記リソース消耗問題を効果的に解決することができる。
【００５３】
選択可能に、該ネットワーク装置が基地局であり、該端末装置がユーザー装置である。
【００５４】
本発明は端末装置（例えば、第１端末装置と第２端末装置）を組み合わせて各実施例を説明した。端末装置はユーザー装置（ＵＥ、Ｕｓｅｒ  Ｅｑｕｉｐｍｅｎｔ）、アクセス端末、ユーザーユニット、ユーザー局、移動局、移動台、遠隔局、リモート端末、移動装置、ユーザー端末、端末、無線通信装置、ユーザー代理又はユーザー装置とも呼ばれる。端末装置は無線ローカルエリアネットワーク（Ｗｉｒｅｌｅｓｓ  Ｌｏｃａｌ  Ａｒｅａ  Ｎｅｔｗｏｒｋｓ、ＷＬＡＮ）におけるステーション（ＳＴＡＩＯＮ、ＳＴ）であってもよく、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）装置、無線通信機能を有するハンドヘルド装置、コンピューティング装置又は無線モデムに接続された他の処理装置、車載装置、ウェアラブル装置及び将来５Ｇネットワークにおける端末装置或いは将来進化のＰＬＭＮネットワークにおける端末装置等であってもよい。
【００５５】
なお、本発明はネットワーク装置（例えば、第１ネットワーク装置）を組み合わせて各実施例を説明した。ネットワーク装置はネットワーク装置等の移動装置に通信するための装置であってもよく、ネットワーク装置がＷＬＡＮにおけるアクセスポイント（ＡＣＣＥＳＳ  ＰＯＩＮＴ、ＡＰ）、ＧＳＭ又はコード分割多重アクセス（Ｃｏｄｅ  Ｄｉｖｉｓｉｏｎ  Ｍｕｌｔｉｐｌｅ  Ａｃｃｅｓｓ、ＣＤＭＡ）における基地局（Ｂａｓｅ  Ｔｒａｎｓｃｅｉｖｅｒ  Ｓｔａｔｉｏｎ、ＢＴＳ）であってもよく、ＷＣＤＭＡにおける基地局（ＮｏｄｅＢ、ＮＢ）であってもよく、長期的な進化（Ｌｏｎｇ  Ｔｅｒｍ  Ｅｖｏｌｕｔｉｏｎ、ＬＴＥ）における進化型基地局（Ｅｖｏｌｕｔｉｏｎａｌ  Ｎｏｄｅ  Ｂ、ｅＮＢ又はｅＮｏｄｅＢ）、或いは中継局又はアクセスポイント、或いは車載装置、ウェアラブル装置及び将来５Ｇネットワークにおけるネットワーク装置或いは将来進化のＰＬＭＮネットワークにおけるネットワーク装置等であってもよい。
【００５６】
また、本発明の実施例において、ネットワーク装置（例えば基地局）はマクロ基地局であってもよく、小型セル（ｓｍａｌｌ  ｃｅｌｌ）を提供する基地局であってもよく、ここでの小型セルはメトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよく、これらの小型セルはカバレッジ範囲が小さくて、送信電力が低い特点を有し、高速率のデータ伝送サービスを提供することに適用される。
【００５７】
本発明の実施例が提供した無線通信の方法及び装置は、端末装置又はネットワーク装置に応用されることができ、該端末装置又はネットワーク装置はハードウェア層、ハードウェア層に運行された操作システム層、及び操作システム層に運行されたアプリケーション層を含む。該ハードウェア層は中央処理装置（Ｃｅｎｔｒａｌ  Ｐｒｏｃｅｓｓｉｎｇ  Ｕｎｉｔ、ＣＰＵ）、メモリ管理ユニット（ＭＭＵ、Ｍｅｍｏｒｙ  Ｍａｎａｇｅｍｅｎｔ  Ｕｎｉｔ）及びメモリ（メインメモリとも呼ばれる）等のハードウェアを含む。該操作システムはプロセス（Ｐｒｏｃｅｓｓ）によってサービス処理を実現する任意の１種又は多種コンピュータ操作システム、例えば、Ｌｉｎｕｘ操作システム、Ｕｎｉｘ操作システム、Ａｎｄｒｏｉｄ操作システム、ｉＯＳ操作システム又はｗｉｎｄｏｗｓ操作システム等であってもよい。該アプリケーション層はブラウザ、アドレス帳、文字処理ソフトウェア、インスタント通信ソフトウェア等のアプリケーションを含む。且つ、本発明の実施例において、無線通信の方法の実行主体の具体的な構造について、本発明は特に限定されず、本発明の実施例の無線通信の方法のコードを記録したプログラムを運行することによって、本発明の実施例による無線通信の方法によって通信すればよく、例えば、本発明の実施例の無線通信の方法の実行主体は端末装置又はネットワーク装置、或いは、端末装置又はネットワーク装置の中のプログラムを呼び出してプログラムを実行する機能モジュールであってもよい。
【００５８】
なお、本発明の各態様又は特徴は方法、装置又は標準プログラミング及び／又はエンジニアリング技術を使用した製品に実現されることができる。本出願に使用された用語「製品」は任意のコンピュータ読み取り可能なデバイス、キャリア又はメディアからアクセスすることができるコンピュータプログラムをカバーする。例えば、コンピュータ可読媒体は、磁気記憶装置（例えば、ハードディスク、フロッピーディスク又はテープ等）、ディスク（例えば、コンパクトディスク（Ｃｏｍｐａｃｔ  Ｄｉｓｃ、ＣＤ）、デジタル多用途ディスク（Ｄｉｇｉｔａｌ  Ｖｅｒｓａｔｉｌｅ  Ｄｉｓｃ、ＤＶＤ）等）、スマートカード及びフラッシュメモリデバイス（例えば、書き換え可能なプログラマブル読み取り専用メモリ（Ｅｒａｓａｂｌｅ  Ｐｒｏｇｒａｍｍａｂｌｅ  Ｒｅａｄ−Ｏｎｌｙ  Ｍｅｍｏｒｙ、ＥＰＲＯＭ）、カード、スティック又はキードライバ等）を含んでもよいが、これらに限定されない。また、本文に説明した各種の記憶メディアは情報を記憶するための１つ又は複数の装置及び／又は他の機器読み取り可能なメディアを代表することができる。用語「機器読み取り可能なメディア」は、無線チャネル及び命令及び／又はデータを記憶、含有及び／又はベアリング可能な各種の他のメディアを含んでもよいが、これに限定されない。
【００５９】
図１は本発明の通信システムを使用した一例のモード図である。図１に示すように、本方法の実施例において、通信システムはアクセスネットワーク１００とアクセスネットワーク２００を含み、アクセスネットワーク１００はネットワーク装置１０２及び少なくとも１つの端末装置１１６を含み、アクセスネットワーク２００はネットワーク装置２０２と少なくとも１つの端末装置２１６を含み、ネットワーク装置１０２とネットワーク装置２０２は例えば、光線等の伝送メディアによって通信接続されてもよく、それにより、端末装置１１６は端末装置２１６と通信する必要がある時、アクセスネットワーク１００が提供した無線リソース（例えば、時間領域リソース、周波数領域リソース、空域リソース及びコードドメインリソース等）によってデータをネットワーク装置１０２に送信することができ、ネットワーク装置１０２はネットワーク装置２０２との間の通信接続によって、該データをネットワーク装置２０２に送信することができ、それにより、ネットワーク装置２０２はアクセスネットワーク２００が提供した無線リソースによってデータを端末装置２１６に送信することができる。
【００６０】
理解すべきなのは、図１に示す通信システムの構造は単に例示的な説明であり、本発明はこれに限定されず、例えば、通信システムは更に例えばコアネットワーク装置とゲートウェイ装置等を含んでもよく、更に例えば、該通信システムに含まれたアクセスネットワークの数及び各アクセスネットワークにおけるネットワーク装置と端末装置の数は需要に応じて任意に変更することができ、本発明は特に限定されない。
【００６１】
本発明の実施例において、該通信システムは公衆陸上モバイルネットワーク（英語の全称はＰｕｂｌｉｃ  Ｌａｎｄ  Ｍｏｂｉｌｅ  Ｎｅｔｗｏｒｋであってもよく、英語の略語はＰＬＭＮであってもよい）ネットワーク或いはＤ２Ｄネットワーク或いはＭ２Ｍネットワーク或いは他のネットワークであってもよく、図１は単に例示的な簡素化モード図であり、ネットワークには他のネットワーク装置を更に含んでもよく、図１には示されない。
【００６２】
以下、図２を参照してアクセスネットワークの具体的な構造を詳しく説明し、ネットワーク装置１０２と端末装置１１６の間の通信方式はネットワーク装置２０２と端末装置２１６の間の通信方式に類似し、ここで、繰り返して説明しないように、ネットワーク装置１０２と端末装置１１６の間の通信方式を例として、アクセスネットワークの構造及び作業方式を詳しく説明する。
【００６３】
図２に示すように、該アクセスネットワーク１００はネットワーク装置１０２と少なくとも１つの端末装置１１６を含む。ネットワーク装置１０２は複数のアンテナ例えば、アンテナ１０４、１０６、１０８、１１０、  １１２及び１１４を含んでもよい。また、ネットワーク装置１０２は付加的にトランスミッターチェーン及び受信機チェーンを含んでも良く、当業者は、それらがいずれも信号の送信及び受信に関する複数の部材（例えばプロセッサー、変調器、マルチプレクサ、復調器、デマルチプレクサ又はアンテナ等）を含むことができることを理解することができる。
【００６４】
ネットワーク装置１０２は複数の端末装置（例えば端末装置１１６と端末装置１２２）に通信されることができる。しかし、ネットワーク装置１０２が端末装置１１６又は１２２に類似する任意の数の端末装置と通信してもよいことを理解することができる。端末装置１１６と１２２は例えばセルラー電話、スマートフォン、ポータブルコンピュータ、ハンドヘルド通信装置、ハンドヘルドコンピューティング装置、衛星ラジオ装置、全地球測位システム、ＰＤＡ及び／又は無線通信システム１００で通信することに用いる任意の他の適合な装置であってもよい。
【００６５】
図１に示すように、端末装置１１６がアンテナ１１２と１１４に通信され、アンテナ１１２と１１４はフォワードリンク１１８によって端末装置１１６へ情報を送信し、且つリバースリンク１２０によって端末装置１１６から情報を受信する。なお、端末装置１２２がアンテナ１０４と１０６に通信され、アンテナ１０４と１０６はフォワードリンク１２４によって端末装置１２２へ情報を送信し、且つリバースリンク１２６によって端末装置１２２から情報を受信する。
【００６６】
例えば、周波数分割複信（ＦＤＤ、Ｆｒｅｑｕｅｎｃｙ  Ｄｉｖｉｓｉｏｎ  Ｄｕｐｌｅｘ）システムにおいて、例えば、フォワードリンク１１８はリバースリンク１２０と異なる周波数帯を利用することができ、フォワードリンク１２４はリバースリンク１２６と異なる周波数帯を利用することができる。
【００６７】
更に例えば、時分割複信（ＴＤＤ、Ｔｉｍｅ  Ｄｉｖｉｓｉｏｎ  Ｄｕｐｌｅｘ）システムと全二重（Ｆｕｌｌ  Ｄｕｐｌｅｘ）システムにおいて、フォワードリンク１１８とリバースリンク１２０は共同の周波数帯を利用することができ、フォワードリンク１２４とリバースリンク１２６は共同の周波数帯を利用することができる。
【００６８】
通信用に設計される各アンテナ（或いは複数のアンテナからなるアンテナグループ）及び／又は領域がネットワーク装置１０２のセクターと呼ばれる。例えば、アンテナグループをネットワーク装置１０２のカバー領域のセクターにおける端末装置に通信するように設計することができる。ネットワーク装置１０２はフォワードリンク１１８と１２４によってそれぞれ端末装置１１６と１２２に通信する過程において、ネットワーク装置１０２の送信アンテナはビームフォーミングを利用してフォワードリンク１１８と１２４の信号対雑音比を改善することができる。なお、ネットワーク装置が単一のアンテナによってそのすべての端末装置へ信号を送信する方式に比べて、ネットワーク装置１０２がビームフォーミングを利用して関連するカバー領域におけるランダムに分散される端末装置１１６と１２２へ信号を送信する時、隣接するセルにおける移動装置の受けられた干渉は少なくなる。
【００６９】
所定時間において、ネットワーク装置１０２、端末装置１１６又は端末装置１２２は無線通信送信装置及び／又は無線通信受信装置であってもよい。データを送信する時、無線通信送信装置はデータをエンコードして伝送することに用いられる。具体的には、無線通信送信装置はチャネルによって無線通信受信装置まで送信される一定の数のデータビットを取得（例えば生成する、他の通信装置から受信する、又はメモリに記憶される等）することができる。このようなデータビットはデータの伝送ブロック（又は複数の伝送ブロック）に含まれてもよく、伝送ブロックは分割されて複数のコードブロックを生成してもよい。
【００７０】
選択可能に、該第１端末装置と該第２端末装置が無線通信を行う時伝送されたデータは音声データ又は画像データである。
【００７１】
具体的には、限定ではなく例示として、本発明の実施例の無線通信の方法は例えば、例えばＶｏＩＰ（Ｖｏｉｃｅ  ｏｖｅｒ  Ｉｎｔｅｒｎｅｔ  Ｐｒｏｔｏｃｏｌ）又はＶｏＬＴＥ（Ｖｏｉｃｅ  ｏｖｅｒ  ＬＴＥ）等の技術に基づいて音声データを伝送するシナリオに応用されることができる。
【００７２】
ＶｏＩＰについて簡単に言えばアナログ信号（Ｖｏｉｃｅ）をデジタル化して、データパケット（Ｄａｔａ  Ｐａｃｋｅｔ）の様態でインターネットプロトコル（Ｉｎｔｅｒｎｅｔ  Ｐｒｏｔｏｃｏ、ＩＰ）ネットワーク（  Ｎｅｔｗｏｒｋ）でリアルタイム配信する。ＶｏＩＰの最大の利点はインターネット（Ｉｎｔｅｒｎｅｔ）とグローバルＩＰ相互接続の環境を広く利用して、従来のサービスよりも多く、良いサービスを提供することができることである。ＶｏＩＰはＩＰネットワークで音声、ファックス、ビデオ、及びデータ等のサービスを低価格に伝送することができ、例えばユニファイドメッセージングサービス、バーチャルフォン、バーチャル音声／ファックスメールボックス、ディレクトリサービス、Ｉｎｔｅｒｎｅｔコールセンター、Ｉｎｔｅｒｎｅｔコール管理、電話ビデオ会議、電子商取引、ファックス記憶転送及び各種の情報の記憶転送等がある。
【００７３】
ＶｏＬＴＥはＩＰマルチメディアサブシステム（ＩＭＳ、ＩＰ  Ｍｕｌｔｉｍｅｄｉａ  Ｓｕｂｓｙｓｔｅｍ）ネットワークに基づいて音声サービスをベアリングし、データと音声サービスが同一のネットワークでの統一を実現することができる。言い換えると、４Ｇネットワークで高速率のデータサービスのみを提供するだけでなく、同時に高品質のオーディオとビデオ通話を更に提供し、後のものはＶｏＬＴＥ技術で実現する必要がある。
【００７４】
新たなネットワークと新たな要求に基づいて、伝送周波数帯リソースを節約する観点からでも、回線通信の高効率を保持する等の観点からでも、各種の可変レート音声エンコード技術のシステムを研究して利用することはすべて重要な役割がある。現在、この需要に適応するために適応型マルチレート（Ａｄａｐｔｉｖｅ  Ｍｕｌｔｉ−ｒａｔｅ、ＡＭＲ）の概念を提出し、即ち適応型マルチレート音声エンコーダであり、主に移動装置のオーディオに用いられ、圧縮比が比較的に大きいが、他の圧縮形式に対して品質が比較的に悪く、主に音声通話に使用されるため、ＡＭＲは更に２種に分けられ、１種は適応型マルチレートナローバンドエンコード（ＡＭＲ−ＮａｒｒｏｗＢｉｎｄ、ＡＭＲ−ＮＢ）であり、音声帯域幅の範囲が３００−３７００Ｈｚであり、８ＫＨｚのサンプリング周波数であり、他種は適応型マルチレートブロードバンドエンコード（ＡＭＲ  ＷｉｄｅＢａｎｄ、ＡＭＲ−ＷＢ）であり、音声帯域幅の範囲が５０−７０００Ｈｚであり、１６ＫＨｚのサンプリング周波数である。しかし、音声の短期相関性を考えて、各フレームの長さがいずれも２０ｍｓである。この２種のエンコーダは帯域幅の要件に基づき異なる速率を選択したが、類似点がある。
【００７５】
ＡＭＲ−ＮＢにおいて、ＡＭＲのサンプリング周波数は８ＫＨｚであり、各２０ｍｓエンコードを１つのフレームとして、各フレームには１６０個のサウンドサンプルが含まれる。
【００７６】
ＡＭＲに採用されたのは代数符号励振線形予測（ＡＣＥＬＰ）に基づくエンコードモードであり、エンコード端はＡＣＥＬＰモデルパラメータ（線形予測係数、適応コードブック及び固定コードブックインデックスとゲイン）を抽出し、デコード端はデータを受信して、そしてこれらのパラメータに基づき音声を新しく合成する。
【００７７】
ＴＤ−ＳＣＤＭＡにおけるＡＭＲ−ＮＢの実現について、このエンコーダは代数コードブック線形予測（ＡＣＥＬＰ）ハイブチッドエンコード方式を運用し、即ちデジタル音声信号には若干音声特徴パラメータを含むとともに一部の波形エンコード情報を含み、更にこれらの特徴情報を運用して音声信号を再び合成する過程である。
【００７８】
これらのパラメータの抽出数を制御し、速率要求に基づき情報を選択して以下の８種の速率を得て、以下の表１に示す適応音声エンコーダを混合的に構成する。モードＡＭＲ＿１２．２０は２４４ビットのパラメータ情報を抽出するが、モードＡＭＲ＿４．７０は９５ビットの情報のみを抽出する。これらのビットに含まれる情報量に基づきそれをｃｌａｓｓ  ０、１及び２という３類のビットに分けることができる。チャネルエンコードする時ｃｌａｓｓ  ０と１はすべて巡回冗長検査コードを使用してエラーテストを行い、ｃｌａｓｓ  ２に対して前のフレームに基づき恢復する。
【００７９】
【表１】
2019533322.tif 000003
【００８０】
ＡＭＲ−ＷＢにおいてサンプリング周波数が１６ｋＨｚであり、国際標準化機構ＩＴＵ−Ｔと３ＧＰＰより同時に利用されるブロードバンド音声エンコード標準であり、Ｇ７２２．２標準とも言われる。且つ、ＡＭＲ−ＷＢにおいて、９種の異なるエンコード方式（或いは、エンコードモデル）をサポートし、該９種のエンコード方式の対応するエンコーダビットレートはそれぞれ６．６ｋｂ／ｓ、８．８５ｋｂ／ｓ、１２．６５ｋｂ／ｓ、１４．２５ｋｂ／ｓ、１５．８５ｋｂ／ｓ、１８．２５ｋｂ／ｓ、１９．８５ｋｂ／ｓ、２３．０５ｋｂ／ｓ及び２３．８５ｋｂ／ｓである。提供した音声帯域幅の範囲が５０〜７０００Ｈｚに達し、人の音声が以前よりも自然で、快適で、区別が容易である。
【００８１】
即ち、本発明の実施例において、コードレート（例えば、第１コードレートを含む）エンコーダのビット率（或いは、ビットレート）と指してもよく、ビット率とは毎秒に伝送されたビット（ｂｉｔ）数である。単位がｂｐｓ（Ｂｉｔ  Ｐｅｒ  Ｓｅｃｏｎｄ）であり、ビット率が高く程、伝送されたデータが大きくなる。ビット率はエンコード（圧縮）後のオーディオとビデオデータが毎秒間に幾つかのビットで表すかを表す。
【００８２】
限定ではなく例示として、本発明の実施例において、ビット率がオーディオとビデオの圧縮と以下の関係を有してもよい。ビット率が高いほど、オーディオとビデオの品質が良いが、エンコード後のファイルが大きくなり、ビット率が低いほどオーディオとビデオの品質が低くなるが、エンコード後のファイルが小さくなる。
【００８３】
以下、図３と図４を参照して、本発明の実施例の無線通信の具体的な過程を詳しく説明する。
【００８４】
図３は本発明の実施例の無線通信の方法３００の一例の模式的なインタラクションダイアグラムである。
【００８５】
図３に示すように、端末装置＃Ａ（即ち、第１端末装置の一例）が端末装置＃Ｂ（即ち、第２端末装置）と無線通信（例えば、音声データを伝送する）する時、端末装置＃Ａはある種のコードレート＃Ａを利用して送信する必要があるデータをエンコード処理し（或いは、圧縮処理とも呼ばれる）、且つ得られたデータを該端末装置＃Ａのアクセスしたネットワーク装置＃Ａに送信し、ネットワーク装置＃Ａは該データを該端末装置＃Ｂのアクセスしたネットワーク装置＃Ｂに送信し、それにより、ネットワーク装置＃Ｂは該データを端末装置＃Ｂに送信することができる。
【００８６】
該コードレート＃Ａはシステムに規定されたコードレートであってもよく、ネットワーク装置＃Ａがシグナリングによって端末装置＃Ａに指示されたコードレートであってもよく、或いは、該コードレートＡは更に端末装置＃Ａと端末装置＃Ｂ（例えば、ネットワーク装置＃Ａとネットワーク装置＃Ｂを介する）が相談して確定されるコードレートであってもよい。
【００８７】
本発明の実施例において、端末装置＃Ａの適用できる（例えば、端末装置＃Ａがサポートすることができるもの、又は、ネットワーク装置が端末装置＃Ａに指定して使用されたもの）１つ又は複数のコードレートがコードレート集合＃Ａと呼ばれ、端末装置＃Ｂに適用できる（例えば、端末装置＃Ｂがサポートすることができるもの、又は、ネットワーク装置が端末装置＃Ｂに指定して使用されたもの）１つ又は複数のコードレートがコードレート集合＃Ｂと呼ばれると、上記コードレート＃Ａはコードレート集合＃Ａに属することができ、且つコードレート＃Ａはコードレート集合＃Ａに属することができる。
【００８８】
即ち、端末装置＃Ａと端末装置＃Ｂはいずれも該コードレート＃Ａをサポートすることができ、それにより、端末装置＃Ａがコードレート＃Ａに基づいてデータに対するエンコードを完成することができることを確保することができ、且つ端末装置＃Ｂがコードレート＃Ａに基づいてデータに対するデコードを完成することができることを確保する。
【００８９】
本発明の実施例において、端末装置＃Ａとネットワーク装置＃Ａの間のリンク＃Ａ（即ち、第１リンクの一例）の品質が動的に変更可能で、このため、本発明の実施例において、リンク品質報告メカニズムを導入することができ、即ち、端末装置＃Ａは例えば、周期的にリンク＃Ａの品質を検出して、且つネットワーク装置＃Ａまで報告することができ、それにより、ネットワーク装置＃Ａがリンク＃Ａの品質に基づいて、コードレート＃Ａを調整することができ、これにより調整後のコードレートは端末装置＃Ａが報告したリンク＃Ａの品質での通信の正確性を確保することができる。
【００９０】
以下、本発明の実施例におけるリンク品質報告メカニズムを詳しく説明する。
本発明の実施例において、端末装置＃Ａがリンク品質を報告するか否かと判定する時２種のパラメータ、即ち、リンク＃Ａの品質とコードレート＃Ｂ（即ち、第１コードレートの一例）を利用することができる。
【００９１】
コードレート＃Ｂは１つであってもよく、複数であってもよく、本発明は特に限定されない。
【００９２】
選択可能に、該第１コードレートは該第１端末装置に適用できる最大コードレートと該第２端末装置に適用できる最大コードレートの中の小さい一方であり、又は
該第１コードレートは該第１端末装置に適用できるコードレートの集合と第２端末装置に適用できるコードレートの集合の交わりであり、又は
該第１コードレートは該第１端末装置に適用できる最大コードレートであり、又は
該第１コードレートは該第１端末装置に適用できるコードレートの集合であり、又は
該第１コードレートは該第２端末装置に適用できる最大コードレートであり、又は
該第１コードレートは該第２端末装置に適用できるコードレートの集合である。
【００９３】
具体的には、該コードレート＃Ｂは該端末装置＃Ａに適用できる（例えば、端末装置＃Ａがサポートすることができるもの、又は、ネットワーク装置が端末装置＃Ａに指定して使用されたもの）１つ又は複数のコードレート（例えば、上記コードレート集合＃Ａ）に基づき確定されるものであってもよく、例えば、該コードレート＃Ｂはコードレート集合＃Ａにおける部分又は全部のコードレートであってもよい。且つ、この場合には、限定ではなく例示として、高層（例えば、アプリケーション層又はＩＭＳ層）が端末装置＃Ａに該コードレート集合＃Ａを指示することができる。
【００９４】
或いは、該コードレート＃Ｂは該端末装置＃Ｂに適用できる（例えば、端末装置＃Ｂがサポートすることができるもの、又は、ネットワーク装置が端末装置＃Ｂに指定して使用されたもの）１つ又は複数のコードレート（例えば、上記コードレート集合＃Ｂ）に基づき確定されるものであってもよく、例えば、該コードレート＃Ｂはコードレート集合＃Ｂにおける部分又は全部のコードレートであってもよい。
【００９５】
なお、この場合には、例えば、端末装置＃Ｂはネットワーク装置＃Ｂとネットワーク装置Ａを介して端末装置＃Ａへ該コードレート集合＃Ｂの指示情報を送信することができ、更に例えば、オペレーター、ネットワーク管理者はコードレート集合＃Ｂを取得して、且つコードレート集合＃Ｂの指示情報を端末装置＃Ａに送信することができ、これにより端末装置＃Ａがコードレート集合＃Ｂを便利に取得する。或いは、高層（例えば、アプリケーション層又はＩＭＳ層）は端末装置＃Ａに該コードレート集合＃Ｂを指示することができる。
【００９６】
更に或いは、該コードレート＃Ｂは該コードレート集合＃Ａ及びコードレート集合＃Ｂに基づき確定されるものであるであってもよく、例えば、コードレート＃Ｂはコードレート集合＃Ａに属するとともにコードレート集合＃Ｂに属するコードレートであってもよい。
【００９７】
更に或いは、端末装置＃Ａはコードレート集合＃Ａとコードレート集合＃Ｂの交わりの中の最大のコードレートをコードレート＃Ｂとすることができる。
【００９８】
更に或いは、端末装置＃Ａはコードレート集合＃Ａとコードレート集合＃Ｂの交わりにおける部分又は全部のコードレートをコードレート＃Ｂとすることができる。
【００９９】
限定ではなく例示として、上記コードレート＃Ｂは高層（例えばアプリケーション層或いはＩＭＳ層）が推奨した符号化・復号化集合及び／又はアクセス層が推奨した符号化・復号化集合で確定される。高層（例えばアプリケーション層或いはＩＭＳ層）が推奨した符号化・復号化集合は更に相手端端末が通信することができる符号化・復号化集合を含んでもよい。
【０１００】
なお、本発明の実施例において、該端末装置＃Ａは該コードレート＃Ｂを直接に比較しようとする判定パラメータとすることができ、限定ではなく例示として、この場合には、比較する対象は該コードレート＃Ｂと推奨コードレートであってもよく、即ち方式１であり、その後、該方式１の具体的な処理過程を詳しく説明する。
【０１０１】
或いは、該端末装置＃Ａはコードレート＃Ｂに基づいて該コードレート＃Ｂの対応する基準品質範囲を確定してもよく、且つ該基準品質範囲を比較しようとする判定パラメータとし、限定ではなく例示として、この場合には、比較する対象は該リンク＃Ａの品質と該基準品質範囲であってもよく、即ち、方式２であり、その後、該方式２の具体的な処理過程を詳しく説明する。
【０１０２】
本発明の実施例において、該基準品質範囲は通信の信頼性と正確性を満たすうえで、コードレート＃Ｂが適用可能な品質の範囲を指してもよい。
【０１０３】
以下、理解、説明しやすいために、該基準品質範囲における最大値を基準品質ＴｈｍａｘＡ（即ち、第１基準品質の一例）とし、該品質閾値範囲における最小値を基準品質ＴｈｍａｘＢ（即ち、第２基準品質の一例）とする。
【０１０４】
なお、上記基準品質範囲は複数の値を含んでもよく、この場合には、基準品質ＴｈｍａｘＡと基準品質ＴｈｍａｘＢは異なり、或いは、上記基準品質範囲は１つの値を含んでもよく、この場合には、基準品質ＴｈｍａｘＡと基準品質ＴｈｍａｘＢは同じで、本発明は特に限定されない。
【０１０５】
それにより、Ｓ３１０において、端末装置＃Ａはリンク＃Ａの品質を測定することができる。なお、端末装置＃Ａはリンク＃Ａの品質を測定することができる方法と過程は、従来技術に類似であってもよく、ここで、繰り返して説明しないように、その詳細な説明を省略する。
【０１０６】
Ｓ３２０において、端末装置＃Ａはリンク＃Ａの品質とコードレート＃Ｂに基づき、リンク＃Ａの品質に対する報告方策を確定することができ、即ちリンク＃Ａの品質を報告するか否かを確定する。
【０１０７】
方式１
選択可能に、該第１端末装置が該第１リンクのリンク品質と第１コードレートに基づき、該第１リンクのリンク品質に対する報告処理を行うことは、
該第１端末装置が第１関係と第２関係に基づき、該第１リンクのリンク品質に対する報告処理を行い、該第１関係は該第１リンクのリンク品質とプリセットの第１品質閾値の間の大きさ関係であり、該第２関係は該第１コードレートと推奨コードレートの間の大きさ関係であり、該推奨コードレートは該第１ネットワーク装置が現在の時間の前に最後の一回に指示される該第１端末装置に使用されるコードレートであることを含む。
【０１０８】
具体的には、限定ではなく例示として、本発明の実施例において、端末装置＃Ａはリンク＃Ａの品質とプリセットの品質閾値範囲（例えば、第１品質閾値と第２品質閾値を含む）の比較結果（即ち、第１関係の一例）、及びコードレート＃Ｂと推奨コードレートの比較結果（即ち、第２関係の一例）に基づいて、報告方策を確定することができる。
【０１０９】
該推奨コードレートは端末装置＃Ａと端末装置＃Ｂの通信期間に、ネットワーク装置Ａが最後の一回に（即ち、現在の時間の前に最後の一回）指示される端末装置＃Ａに使用されるコードレートである。
【０１１０】
理解すべきなのは、推奨コードレートは端末装置＃Ａが現在使用しているコードレート（例えば、上記コードレート＃Ａ）であってもよく、端末装置＃Ａが現在使用しているコードレートではなくてもよく、本発明は特に限定されない。
本発明の実施例において、該品質範囲は通信の信頼性と正確性を満たすうえで、現在使用しているコードレート（例えば、コードレート＃Ａ）の適用可能な品質の範囲を指してもよい。
【０１１１】
以下、理解、説明しやすいために、該品質閾値範囲における最大値を品質閾値ＴｈＡ（即ち、第１品質閾値の一例）とし、該品質閾値範囲における最小値を品質閾値ＴｈＢ（即ち、第２品質閾値の一例）とする。
【０１１２】
なお、上記品質閾値範囲は複数の値を含んでもよく、この場合には、品質閾値ＴｈＡと品質閾値ＴｈＢは異なって、或いは、上記品質閾値範囲１つの値を含んでもよく、この場合には、品質閾値ＴｈＡと品質閾値ＴｈＢは同じで、本発明は特に限定されない。
【０１１３】
本発明の実施例において、該品質閾値範囲はネットワーク装置＃Ａで確定されて端末装置＃Ａに送信されたものであってもよい。即ち、
選択可能に、該方法は、
該第１端末装置が該第１ネットワーク装置の送信した該第１品質閾値の指示情報を受信することを更に含む。
【０１１４】
選択可能に、該方法は、
該第１端末装置が該第１ネットワーク装置の送信した該第２品質閾値の指示情報と該基準品質の指示情報を受信することを更に含む。
【０１１５】
また、本発明の実施例において、該品質閾値範囲はネットワーク装置＃Ａ又は端末装置＃Ａがコードレート＃Ａに基づき確定されるものであるであってもよい。
【０１１６】
例えば、端末装置＃Ａ又はネットワーク装置＃Ａに多種のコードレートと多種の品質範囲の間の１対１マッピング関係を記憶することができ、それにより、端末装置＃Ａ又はネットワーク装置＃Ａは現在使用しているコードレート（例えば、コードレート＃Ａ）に基づいて該マッピング関係からコードレート＃Ａに対応する品質範囲を確定することができ、現在報告方策を判定する時使用される品質範囲とする。即ち、
【０１１７】
選択可能に、該第１品質閾値は該推奨コードレートに基づき確定されるものである。
【０１１８】
或いは、選択可能に、該第２品質閾値は該推奨コードレートに基づき確定されるものである。
【０１１９】
以下、リンク＃Ａの品質と該品質閾値範囲（例えば、品質閾値範囲における最大値、即ち、第１品質閾値）の比較結果、及びコードレート＃Ｂと推奨コードレートの比較結果と確定された報告方策の間の関係を例示的に説明する。
【０１２０】
場合１
該第１端末装置が第１関係と第２関係に基づき、該第１リンクのリンク品質に対する報告処理を行うことは、
該第１関係は該第１リンクのリンク品質が該第１品質閾値以上であることであり、且つ該第２関係は第１コードレートが該推奨コードレートより小さいと、該第１端末装置が該第１ネットワーク装置へ該第１リンクのリンク品質を報告しないことを含む。
【０１２１】
具体的には、リンク＃Ａの品質が品質閾値ＴｈＡよりも高く（或いは、ＴｈＡ以上である）、且つコードレート＃Ｂが推奨コードレートより小さいと、端末装置＃Ａは報告方策がネットワーク装置＃Ａへリンク＃Ａの品質を報告しないことを確定することができる。
【０１２２】
リンク＃Ａの品質が品質閾値ＴｈＡよりも高いので、端末装置＃Ａはネットワーク装置＃Ａへリンク＃Ａの品質を報告すると、ネットワーク装置＃Ａは現在のコードレートを増大するように調整すると判定し、ネットワーク装置＃Ａで確定された調整目標コードレート（目標コードレートとする）は推奨コードレートより高いことを引き起こす可能性がある。
【０１２３】
且つ、コードレート＃Ｂが推奨コードレートより小さいと、コードレート＃Ｂが目標コードレートより小さいので、前記のように、該コードレート＃Ｂは端末装置＃Ａ及び／又は端末装置＃Ｂに適用されるコードレートであり、端末装置＃Ａ及び／又は端末装置＃Ｂが目標コードレートをサポートすることができないことを意味する。
【０１２４】
従来技術に従って、端末装置＃Ａが依然としてネットワーク装置＃Ａへリンク＃Ａの品質を報告すると、今回の調整によって予想される効果を得ることができないことが発生し、調整過程が失敗し、通信リソースと処理リソースの浪費を引き起こす。
【０１２５】
これに対して、本発明の実施例において、端末装置＃Ａはリンク＃Ａの品質が品質閾値ＴｈＡよりも高くし、且つコードレート＃Ｂが推奨コードレートより小さいと確定した時、端末装置＃Ａはネットワーク装置＃Ａへリンク＃Ａの品質を報告せず、報告過程の通信リソース及び処理リソースの浪費を避けることができる。
【０１２６】
場合２
該第１端末装置が第１関係と第２関係に基づき、該第１リンクのリンク品質に対する報告処理を行うことは、
該第１関係は該第１リンクのリンク品質が該第１品質閾値以上であることであり、且つ該第２関係は第１コードレートが該推奨コードレート以上であることであると、該第１端末装置が該第１ネットワーク装置へ該第１リンクのリンク品質を報告することを含む。
【０１２７】
具体的には、リンク＃Ａの品質が品質閾値ＴｈＡより高いので、端末装置＃Ａがネットワーク装置＃Ａへリンク＃Ａの品質を報告すると、ネットワーク装置＃Ａは現在コードレートを増大するように調整する必要があると判定し、ネットワーク装置＃Ａで確定された調整目標コードレート（目標コードレートとする）が推奨コードレートよりも大きいことが発生する可能性がある。
【０１２８】
且つ、コードレート＃Ｂが推奨コードレート以上であると、コードレート＃Ｂが目標コードレート以上であることを引き起こす可能性があり、以上のように、該コードレート＃Ｂは端末装置＃Ａ及び／又は端末装置＃Ｂに適用されるコードレートであると、端末装置＃Ａ及び／又は端末装置＃Ｂが目標コードレートをサポートする可能性があることを意味する。
【０１２９】
本発明の実施例に基づき、この場合には、端末装置＃Ａはネットワーク装置＃Ａへリンク＃Ａの品質を報告することができる。
【０１３０】
更に例えば、限定ではなく例示として、本発明の実施例において、端末装置＃Ａはリンク＃Ａの品質とプリセットの品質閾値範囲（例えば、第１品質閾値と第２品質閾値を含む）の比較結果（即ち、第３関係の一例）、及びリンク＃Ａの品質と上記基準品質範囲の比較結果（即ち、第４関係の一例）に基づいて報告方策を確定することができる。即ち、
選択可能に、該第１端末装置が該第１リンクのリンク品質と第１コードレートに基づき、該第１リンクのリンク品質に対する報告処理を行うことは、
該第１端末装置が第３関係と第４関係に基づき、該第１リンクのリンク品質に対する報告処理を行い、該第３関係は該第１リンクのリンク品質とプリセットの第２品質閾値の間の大きさ関係であり、該第４関係は該第１リンクのリンク品質と基準品質の間の大きさ関係であり、該基準品質は該第１コードレートに基づき確定されるものであることを含む。
【０１３１】
即ち、本発明の実施例において、以下の表２に示すように報告方策を確定することができる。
【０１３２】
【表２】
2019533322.tif 000004
【０１３３】
方式２
選択可能に、該第１端末装置が該第１リンクのリンク品質と第１コードレートに基づき、該第１リンクのリンク品質に対する報告処理を行うことは、
該第１端末装置が第３関係と第４関係に基づき、該第１リンクのリンク品質に対する報告処理を行い、該第３関係は該第１リンクのリンク品質とプリセットの第２品質閾値の間の大きさ関係であり、該第４関係は該第１リンクのリンク品質と基準品質の間の大きさ関係であり、該基準品質は該第１コードレートに基づき確定されるものであることを含む。
【０１３４】
具体的には、限定ではなく例示として、本発明の実施例において、端末装置＃Ａはリンク＃Ａの品質とプリセットの品質閾値範囲（例えば、第１品質閾値と第２品質閾値を含む）の比較結果（即ち、第３関係の一例）、及びリンク＃Ａの品質と上記基準品質範囲（例えば、第１基準品質と第２基準品質を含む）の比較結果（即ち、第４関係の一例）に基づいて、報告方策を確定することができる。
【０１３５】
以下、リンク＃Ａの品質と該品質閾値範囲（例えば、品質閾値範囲における最小値、即ち、第２品質閾値）の比較結果、及びリンク＃Ａの品質と上記基準品質範囲の比較結果と確定された報告方策の間の関係を例示的に説明する。
【０１３６】
場合３
該第１端末装置が第３関係と第４関係に基づき、該第１リンクのリンク品質に対する報告処理を行うことは、
該第３関係は該第１リンクのリンク品質が該第２品質閾値以下であることであり、且つ該第４関係は該第１リンクのリンク品質が第１基準品質以上であることであると、該第１端末装置が該第１ネットワーク装置へ該第１リンクのリンク品質を報告しないことを含む。
【０１３７】
具体的には、リンク＃Ａの品質が品質閾値ＴｈＢより低く（或いは、品質閾値ＴｈＢ以下である）、且つリンク＃Ａの品質が基準品質ＴｈｍａｘＡ以上であると、端末装置＃Ａは報告方策がネットワーク装置＃Ａへリンク＃Ａの品質を報告しないと確定することができる。
【０１３８】
リンク＃Ａの品質が品質閾値ＴｈＢよりも低いので、端末装置＃Ａはネットワーク装置＃Ａへリンク＃Ａの品質を報告すると、ネットワーク装置＃Ａは現在コードレートを減少するように調整する必要があると判定する。且つ、リンク＃Ａの品質が基準品質ＴｈｍａｘＡ以上であるので、コードレート＃Ｂがリンク＃Ａの品質に適用されないと表し、即ち、現在使用しているコードレート（例えば、コードレート＃Ａ）がコードレート＃Ｂより大きい。このため、現在コードレートを減少するように調整しても、調整幅が小さいと、依然として調整後のコードレートがコードレート＃Ｂより高くなることが出現する可能性がある。
【０１３９】
従来技術に従って、端末装置＃Ａが依然としてネットワーク装置＃Ａへリンク＃Ａの品質を報告すると、ネットワーク装置＃Ａで確定された調整目標コードレート（目標コードレートとする）がコードレート＃Ｂよりも大きいことが発生する可能性があり、以上のように、該コードレート＃Ｂは端末装置＃Ａ及び／又は端末装置＃Ｂに適用されるコードレートであると、端末装置＃Ａ及び／又は端末装置＃Ｂが目標コードレートをサポートすることができず、今回の調整が予想される効果を得ることができず、調整過程が失敗したことを引き起こし、通信リソースと処理リソースの浪費を引き起こすことを意味する。
【０１４０】
これに対して、本発明の実施例において、端末装置＃Ａはリンク＃Ａの品質が品質閾値ＴｈＢよりも低く、且つリンク＃Ａの品質が基準品質ＴｈｍａｘＡ以上であると確定した時、端末装置＃Ａはネットワーク装置＃Ａへリンク＃Ａの品質を報告せず、報告過程の通信リソース及び処理リソースの浪費を避けることができる。
【０１４１】
場合４
該第１端末装置が第３関係と第４関係に基づき、該第１リンクのリンク品質に対する報告処理を行うことは、
該第３関係は該第１リンクのリンク品質が該第２品質閾値以下であることであり、且つ該第４関係は該第１リンクのリンク品質が第２基準品質より小さいことであると、該第１端末装置が該第１ネットワーク装置へ該第１リンクのリンク品質を報告することを含む。
【０１４２】
具体的には、リンク＃Ａの品質が品質閾値ＴｈＢより低いので、端末装置＃Ａがネットワーク装置＃Ａへリンク＃Ａの品質を報告すると、ネットワーク装置＃Ａは現在コードレートを減少するように調整する必要があると判定する。
【０１４３】
且つ、リンク＃Ａの品質が基準品質ＴｈｍａｘＢより小さいので、コードレート＃Ｂがリンク＃Ａの品質に適用されると表し、即ち、現在使用しているコードレート（例えば、コードレート＃Ａ）がコードレート＃Ｂより小さい。
【０１４４】
このため、現在コードレートを減少するように調整すると、調整後のコードレートをコードレート＃Ｂより低くすることができる。以上のように、該コードレート＃Ｂは端末装置＃Ａ及び／又は端末装置＃Ｂに適用されるコードレートであると、端末装置＃Ａ及び／又は端末装置＃Ｂが調整後のコードレートをサポートする可能性があることを意味する。
【０１４５】
本発明の実施例に基づき、この場合には、端末装置＃Ａはネットワーク装置＃Ａへリンク＃Ａの品質を報告することができる。
【０１４６】
即ち、本発明の実施例において、以下の表３に示すように報告方策を確定することができる。
【０１４７】
【表３】
2019533322.tif 000005
【０１４８】
Ｓ３３０において、ネットワーク装置＃Ａは端末装置＃Ａが報告したリンク＃Ａの品質に基づいて、該端末装置＃Ａの使用したコードレートに対する調整処理を行うことができ、該調整処理の過程及び方法は従来技術に類似することができ、ここで、繰り返して説明しないように、その詳細な説明を省略する。
【０１４９】
本発明の実施例による無線通信の方法は、端末装置がリンクの品質を測定した後、リンクの品質と第１コードレートがプリセットの条件を満たすか否かを判定し、且つ該判定結果に基づきリンクの品質を報告するか否かを確定し、上記プリセット条件が端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することをサポートすることができる。
【０１５０】
選択可能に、該方法は、
該第１端末装置が該第１ネットワーク装置へ該第１コードレートの指示情報を送信することを更に含む。
【０１５１】
具体的には、本発明の実施例において、端末装置＃Ａがネットワーク装置＃Ａへリンク＃Ａの品質を報告する時、上記コードレート＃Ｂの指示情報をともにネットワーク装置＃Ａに報告することができ、それにより、ネットワーク装置＃Ｂは該リンク＃Ａの品質に基づいて、端末装置＃Ａが現在使用しているコードレートの調整目標とする目標コードレートを確定することができ、且つ、該目標コードレートを確定する方法と過程は従来技術に類似することができ、ここで、繰り返して説明しないように、その詳細な説明を省略する。その後、ネットワーク装置＃Ｂは目標コードレートとコードレート＃Ｂの大きさ関係に基づいて、端末装置＃Ａへ目標コードレートを送信するか否かを確定することができる。
【０１５２】
限定ではなく例示として、例えば、目標コードレートがコードレート＃Ｂより大きく、以上のように、該コードレート＃Ｂは端末装置＃Ａ及び／又は端末装置＃Ｂに適用されるコードレートであると、端末装置＃Ａ及び／又は端末装置＃Ｂは目標コードレートをサポートすることができず、この時、ネットワーク装置＃Ｂは端末装置＃Ａへ目標コードレートを送信しないことができることを意味する。
【０１５３】
更に例えば、目標コードレートがコードレート＃Ｂより小さく、以上のように、該コードレート＃Ｂが端末装置＃Ａ及び／又は端末装置＃Ｂに適用されるコードレートであると、端末装置＃Ａ及び／又は端末装置＃Ｂが目標コードレートをサポートすることができ、この時、ネットワーク装置＃Ｂは端末装置＃Ａへ目標コードレートを送信することができることを意味する。
【０１５４】
本発明の実施例による無線通信の方法により、端末装置がリンクの品質を測定した後、リンクの品質と第１コードレートをともにネットワーク装置に報告し、上記プリセット条件は端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することをサポートすることができる。
【０１５５】
図４は本発明の実施例の無線通信の方法の他例の模式的なインタラクションダイアグラムである。図４に示すように、端末装置＃Ａ（即ち、第１端末装置の一例）と端末装置＃Ｂ（即ち、第２端末装置）は無線通信を行う（例えば、音声データを伝送する）時、端末装置＃Ａはある種類のコードレート＃Ａで送信する必要があるデータをエンコード処理することができ（或いは、圧縮処理とも呼ばれる）、且つ得られたデータを該端末装置＃Ａのアクセスしたネットワーク装置＃Ａに送信し、ネットワーク装置＃Ａは該データを該端末装置＃Ｂのアクセスしたネットワーク装置＃Ｂに送信し、それにより、ネットワーク装置＃Ｂは該データを端末装置＃Ｂに送信することができ、該コードレート＃Ａはシステムに規定されたコードレートであってもよく、ネットワーク装置＃Ａがシグナリングによって端末装置＃Ａに指示されたコードレートであってもよく、或いは、該コードレートＡは更に端末装置＃Ａと端末装置＃Ｂ（例えば、ネットワーク装置＃Ａとネットワーク装置＃Ｂを介する）が相談し確定されるコードレートであってもよい。
【０１５６】
本発明の実施例において、端末装置＃Ａに適用できる１つ又は複数のコードレートをコードレート集合＃Ａと称し、端末装置＃Ｂに適用できる１つ又は複数のコードレートをコードレート集合＃Ｂと称すると、上記コードレート＃Ａはコードレート集合＃Ａに属することができ、且つコードレート＃Ａがコードレート集合＃Ａに属することができる。即ち、端末装置＃Ａと端末装置＃Ｂはいずれも該コードレート＃Ａをサポートすることができ、それにより、端末装置＃Ａがコードレート＃Ａに基づいてデータに対するエンコードを完成することができることを確保することができ、且つ端末装置＃Ｂがコードレート＃Ａに基づいてデータに対するデコードを完成することができることを確保することができる。
【０１５７】
本発明の実施例において、端末装置＃Ａとネットワーク装置＃Ａの間のリンク＃Ａ（即ち、第１リンクの一例）の品質は動的に変更可能で、このため、本発明の実施例において、リンク品質報告メカニズムを導入することができ、即ち、端末装置＃Ａは例えば、リンク＃Ａの品質を周期的に検出して、且つネットワーク装置＃Ａに報告することができ、それにより、ネットワーク装置＃Ａはリンク＃Ａの品質に基づいて、コードレート＃Ａを調整することができ、これにより調整後のコードレートが端末装置＃Ａより報告されたリンク＃Ａの品質での通信の正確性を確保することができる。
【０１５８】
それにより、Ｓ４１０において、端末装置＃Ａはリンク＃Ａの品質を測定することができる。なお、端末装置＃Ａはリンク＃Ａの品質測定できる方法と過程は、従来技術に類似することができ、ここで、繰り返して説明しないように、その詳細な説明を省略する。
【０１５９】
Ｓ４２０において、端末装置＃Ａはネットワーク装置＃Ａへリンク品質を報告する時、コードレート＃Ｂ（即ち、第１コードレートの一例）をともに報告することができる。
【０１６０】
コードレート＃Ｂは１つであってもよく、複数であってもよく、本発明は特に限定されない。
【０１６１】
選択可能に、該第１コードレートは該第１端末装置に適用できる最大コードレートと該第２端末装置に適用できる最大コードレートの中の小さい一方であり、又は
該第１コードレートは第１端末装置に適用できるコードレートの集合と第２端末装置に適用できるコードレートの集合の交わりであり、又は
該第１コードレートは該第１端末装置に適用できる最大コードレートであり、又は
該第１コードレートは該第１端末装置に適用できるコードレートの集合であり、又は
該第１コードレートは該第２端末装置に適用できる最大コードレートであり、又は
該第１コードレートは該第２端末装置に適用できるコードレートの集合である。
【０１６２】
具体的には、該コードレート＃Ｂは該端末装置＃Ａに適用できる１つ又は複数のコードレート（例えば、上記コードレート集合＃Ａ）に基づき確定されるものであってもよく、例えば、該コードレート＃Ｂはコードレート集合＃Ａにおける部分又は全部のコードレートであってもよい。且つ、この場合には、限定ではなく例示として、高層（例えば、アプリケーション層又はＩＭＳ層）は端末装置＃Ａに該コードレート集合＃Ａを指示することができる。
【０１６３】
或いは、該コードレート＃Ｂは該端末装置＃Ｂに適用できる１つ又は複数のコードレート（例えば、上記コードレート集合＃Ｂ）に基づき確定されるものであってもよく、例えば、該コードレート＃Ｂはコードレート集合＃Ｂにおける部分又は全部コードレートであってもよい。なお、この場合には、例えば、端末装置＃Ｂはネットワーク装置＃Ｂとネットワーク装置Ａを介して端末装置＃Ａへ該コードレート集合＃Ｂの指示情報を送信することができ、更に例えば、オペレーター、ネットワーク管理者はコードレート集合＃Ｂを取得することができ、且つコードレート集合＃Ｂの指示情報を端末装置＃Ａに送信し、端末装置＃Ａがコードレート集合＃Ｂを便利に取得する。或いは、高層（例えば、アプリケーション層又はＩＭＳ層）は端末装置＃Ａに該コードレート集合＃Ｂを指示することができる。
【０１６４】
更に或いは、該コードレート＃Ｂは該コードレート集合＃Ａ及びコードレート集合＃Ｂに基づき確定されるものであってもよく、例えば、コードレート＃Ｂはコードレート集合＃Ａに属するとともにコードレート集合＃Ｂに属するコードレートであってもよい。
【０１６５】
更に或いは、端末装置＃Ａはコードレート集合＃Ａとコードレート集合＃Ｂの交わりの中の最大のコードレートをコードレート＃Ｂとすることができる。
更に或いは、端末装置＃Ａはコードレート集合＃Ａとコードレート集合＃Ｂの交わりにおける部分又は全部のコードレートをコードレート＃Ｂとすることができる。
【０１６６】
限定ではなく例示として、上記コードレート＃Ｂは高層（例えばアプリケーション層或いはＩＭＳ層）が推奨した符号化・復号化集合及び／又はアクセス層が推奨した符号化・復号化集合によって確定される。高層（例えばアプリケーション層或いはＩＭＳ層）が推奨した符号化・復号化集合は相手端端末が通信することができる符号化・復号化集合を更に含んでっもよい。
【０１６７】
それにより、Ｓ４３０において、ネットワーク装置＃Ｂは該リンク＃Ａの品質に基づいて、端末装置＃Ａが現在使用しているコードレートの調整目標とする目標コードレートを確定することができ、且つ、該目標コードレートを確定する方法と過程は従来技術に類似することができ、ここで繰り返して説明しないように、その詳細な説明を省略する。
【０１６８】
その後、ネットワーク装置＃Ｂは目標コードレートとコードレート＃Ｂの大きさ関係に基づいて、端末装置＃Ａへ目標コードレートを送信するか否かを確定することができる。
【０１６９】
例えば、選択可能に、該第１ネットワーク装置が該目標コードレートと該第１コードレートの間の大きさ関係に基づき、該第１端末装置が現在使用しているコードレートに対する調整処理を行うことは、
【０１７０】
該第１コードレートが該目標コードレート以下であると、該第１ネットワーク装置は該第１端末装置が現在使用しているコードレートを調整しないことを含む。
【０１７１】
具体的には、目標コードレートがコードレート＃Ｂより大きいと、以上のように、該コードレート＃Ｂは端末装置＃Ａ及び／又は端末装置＃Ｂに適用されるコードレートであると、端末装置＃Ａ及び／又は端末装置＃Ｂが目標コードレートをサポートすることができず、この時、ネットワーク装置＃Ｂは端末装置＃Ａへ目標コードレートを送信しないことができることを意味する。
【０１７２】
更に例えば、選択可能に、該第１ネットワーク装置が該目標コードレートと該第１コードレートの間の大きさ関係に基づき、該第１端末装置が現在使用しているコードレートに対する調整処理を行うことは、
【０１７３】
該第１コードレートが該目標コードレートよりも大きいと、該第１ネットワーク装置は該第１端末装置が現在使用しているコードレートを該目標コードレートに調整することを含む。
【０１７４】
具体的には、目標コードレートがコードレート＃Ｂより小さいと、以上のように、該コードレート＃Ｂは端末装置＃Ａ及び／又は端末装置＃Ｂに適用されるコードレートであると、端末装置＃Ａ及び／又は端末装置＃Ｂが目標コードレートをサポートすることが可能で、この時、ネットワーク装置＃Ｂは端末装置＃Ａへ目標コードレートを送信することができることを意味する。
【０１７５】
また、本発明の実施例において、端末装置＃Ａがネットワーク装置＃Ａへリンク＃Ａの品質とコードレート＃Ｂを報告する前に、更に判定することができ、即ち品質リンク＃Ａの品質とコードレート＃Ｂを需要とするか否かを判定する。
【０１７６】
本発明の実施例において、端末装置＃Ａはリンク品質を報告するか否かを判定する時リンク＃Ａの品質を利用して判定パラメータとすることができる。
【０１７７】
具体的には、限定ではなく例示として、本発明の実施例において、端末装置＃Ａはリンク＃Ａの品質とプリセットの品質閾値範囲（例えば、第１品質閾値と第２品質閾値を含む）の比較結果に基づいて、報告方策（即ち、リンク＃Ａの品質とコードレート＃Ｂを報告するか否か）を確定することができる。
【０１７８】
以下、理解、説明しやすいために、該品質閾値範囲における最大値を品質閾値ＴｈＡ（即ち、第１品質閾値の一例）とし、該品質閾値範囲における最小値を品質閾値ＴｈＢ（即ち、第２品質閾値の一例）とする。
【０１７９】
なお、上記品質閾値範囲は複数の値を含むことができ、この場合には、品質閾値ＴｈＡと品質閾値ＴｈＢが異なって、或いは、上記品質閾値範囲が１つの値を含んでもよく、この場合には、品質閾値ＴｈＡと品質閾値ＴｈＢが同じで、本発明は特に限定されない。
【０１８０】
本発明の実施例において、該品質閾値範囲はネットワーク装置＃Ａが確定して端末装置＃Ａに送信されたものであってもよい。即ち、
選択可能に、該方法は
該第１端末装置が該第１ネットワーク装置の送信した該第１品質閾値の指示情報を受信することを更に含む。
【０１８１】
選択可能に、該方法は、
該第１端末装置が該第１ネットワーク装置の送信した該第２品質閾値の指示情報と該基準品質の指示情報を受信することを更に含む。
【０１８２】
また、本発明の実施例において、該品質閾値範囲はネットワーク装置＃Ａ又は端末装置＃Ａがコードレート＃Ａに基づき確定されるものであってもよい。
【０１８３】
例えば、端末装置＃Ａ又はネットワーク装置＃Ａに多種のコードレートと多種の品質範囲の間の１対１マッピング関係を記憶することができ、それにより、端末装置＃Ａ又はネットワーク装置＃Ａは現在使用しているコードレート（例えば、コードレート＃Ａ）に基づいて該マッピング関係からコードレート＃Ａに対応する品質範囲を確定して、現在の報告方策を判定することに用いる時使用される品質範囲とすることができる。即ち、
【０１８４】
選択可能に、該第１品質閾値は該推奨コードレートに基づき確定されるものである。
【０１８５】
或いは、選択可能に、該第２品質閾値は該推奨コードレートに基づき確定されるものである。
【０１８６】
以下、リンク＃Ａの品質と該品質閾値範囲（例えば、品質閾値範囲における最大値、即ち、第１品質閾値）の比較結果と確定された報告方策の間の関係を例示的に説明する。
【０１８７】
例えば、選択可能に、該第１端末装置が該第１ネットワーク装置へ該第１リンクのリンク品質の指示情報及び第１コードレートの指示情報を送信することは、
該第１端末装置は該第１リンクのリンク品質がプリセットの第１品質閾値以上であることを確定した後、該第１ネットワーク装置へ該第１リンクのリンク品質の指示情報及び第１コードレートの指示情報を送信することを含む。
【０１８８】
具体的には、リンク＃Ａの品質が品質閾値ＴｈＡより高い（或いは、品質閾値ＴｈＡ以上である）と、端末装置＃Ａは報告方策がネットワーク装置＃Ａへリンク＃Ａの品質を報告すると確定することができる。
【０１８９】
即ち、品質閾値ＴｈＡが現在使用しているコードレート（例えば、コードレート＃Ａ）に使用される品質上限であるので、リンク＃Ａの品質が品質閾値ＴｈＡよりも高いと、現在のリンク品質がより高いコードレートに適用ができることを示す。それによりネットワーク装置＃Ａは該リンク＃Ａの品質とコードレート＃Ｂに基づいて、相手端末装置＃Ａが現在使用しているコードレートを調整する可能性がある。
【０１９０】
逆に、リンク＃Ａの品質が品質閾値ＴｈＡより低い（品質閾値ＴｈＡ以下である）と、現在のリンク品質がより高いコードレートに適用ができないことを示す。それによりネットワーク装置＃Ａは端末装置＃Ａが現在使用しているコードレートを調整しない可能性がある。
【０１９１】
更に例えば、選択可能に、該第１端末装置が該第１ネットワーク装置へ該第１リンクのリンク品質の指示情報及び第１コードレートの指示情報を送信することは、
【０１９２】
該第１端末装置は該第１リンクのリンク品質がプリセットの第２品質閾値以下であることを確定した後、該第１ネットワーク装置へ該第１リンクのリンク品質の指示情報及び第１コードレートの指示情報を送信することを含む。
【０１９３】
具体的には、リンク＃Ａの品質が品質閾値ＴｈＢより低い（或いは、小さい）と、端末装置＃Ａは報告方策がネットワーク装置＃Ａへリンク＃Ａの品質を報告すると確定することができる。
【０１９４】
即ち、品質閾値ＴｈＢが現在使用しているコードレート（例えば、コードレート＃Ａ）に使用される品質下限であるので、リンク＃Ａの品質が品質閾値ＴｈＡより低いと、現在のリンク品質でコードレート＃Ａを使用することができないことを示す。それによりネットワーク装置＃Ａは該リンク＃Ａの品質とコードレート＃Ｂに基づいて、端末装置＃Ａが現在使用しているコードレートを調整する可能性がある。
【０１９５】
逆に、リンク＃Ａの品質が品質閾値ＴｈＢより高い（品質閾値ＴｈＢ以上である）と、現在のリンク品質がコードレート＃Ａに適用ができることを示す。それによりネットワーク装置＃Ａは端末装置＃Ａが現在使用しているコードレートを調整しない可能性がある。
【０１９６】
本発明の実施例による無線通信の方法によって、端末装置がリンクの品質を測定した後、リンクの品質と第１コードレートをともにネットワーク装置に報告し、第１コードレートは端末装置又は相手端に適用ができるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することをサポートすることができる。
【０１９７】
以上のように、図１〜図４を参照して本発明の実施例による無線通信の方法を詳しく説明した。以下、図５〜図７を参照して本発明の実施例による無線通信の装置を詳しく説明する。
【０１９８】
図５は本発明の一実施例の無線通信の装置５００の模式的なブロック図である。図５に示すように、該装置５００は、
該装置５００と第２端末装置は第１ネットワーク装置を介して無線通信する時、第１リンクのリンク品質を測定し、該第１リンクが該装置５００と該第１ネットワーク装置の間のリンクであることに用いられる確定ユニット５１０、及び
該第１リンクのリンク品質と第１コードレートに基づき、該第１リンクのリンク品質に対する報告処理を行い、該第１コードレートは該装置５００に適用ができるコードレートに基づき確定されるものであり、又は該第１コードレートは該第２端末装置に適用ができるコードレートに基づき確定されるものであることに用いられる処理ユニット５２０を備える。
【０１９９】
選択可能に、該第１コードレートは該装置５００に適用ができる最大コードレートと該第２端末装置に適用ができる最大コードレートの中の小さい一方であり、又は
該第１コードレートは装置５００に適用ができるコードレートの集合と第２端末装置に適用できるコードレートの集合の交わりであり、又は
該第１コードレートは該装置５００に適用できる最大コードレートであり、又は
該第１コードレートは該装置５００に適用できるコードレートの集合であり、又は
該第１コードレートは該第２端末装置に適用できる最大コードレートであり、又は
該第１コードレートは該第２端末装置に適用できるコードレートの集合である。
【０２００】
選択可能に、該処理ユニット５２０は具体的に第１関係と第２関係に基づき、該第１リンクのリンク品質に対する報告処理を行うことに用いられ、該第１関係は該第１リンクのリンク品質とプリセットの第１品質閾値の間の大きさ関係であり、該第２関係は該第１コードレートと推奨コードレートの間の大きさ関係であり、該推奨コードレートは該第１ネットワーク装置が現在の時間の前に最後の一回に指示される該装置５００に使用されるコードレートである。
【０２０１】
選択可能に、該処理ユニット５２０は具体的に、該第１関係は該第１リンクのリンク品質が該第１品質閾値以上であることであり、且つ該第２関係は第１コードレートが該推奨コードレートより小さいことであると、該第１ネットワーク装置へ該第１リンクのリンク品質を報告しないことに用いられ、又は
該処理ユニット５２０は具体的に、該第１関係は該第１リンクのリンク品質が該第１品質閾値以上であることであり、且つ該第２関係は第１コードレートが該推奨コードレート以上であることであると、該第１ネットワーク装置へ該第１リンクのリンク品質を報告することに用いられる。
【０２０２】
選択可能に、該装置５００は、該第１ネットワーク装置の送信した該第１品質閾値の指示情報を受信することに用いられる通信ユニットを更に含む。
【０２０３】
選択可能に、該第１品質閾値は該推奨コードレートに基づき確定されるものである。
【０２０４】
選択可能に、該処理ユニット５２０は具体的に、第３関係と第４関係に基づき、該第１リンクのリンク品質に対する報告処理を行うことに用いられ、該第３関係は該第１リンクのリンク品質とプリセットの第２品質閾値の間の大きさ関係であり、該第４関係は該第１リンクのリンク品質と基準品質の間の大きさ関係であり、該基準品質は該第１コードレートに基づき確定されるものである。
【０２０５】
選択可能に、該処理ユニット５２０は具体的に、該第３関係は該第１リンクのリンク品質が該第２品質閾値以下であることであり、且つ該第４関係は該第１リンクのリンク品質が第１基準品質以上であることであると、該第１ネットワーク装置へ該第１リンクのリンク品質を報告しないことに用いられ、又は
【０２０６】
該処理ユニット５２０は具体的に、該第３関係は該第１リンクのリンク品質が該第２品質閾値以下であることであり、且つ該第４関係は該第１リンクのリンク品質が第２基準品質より小さいことであると、該第１ネットワーク装置へ該第１リンクのリンク品質を報告することに用いられる。
【０２０７】
選択可能に、該装置５００は、更に
該第１ネットワーク装置の送信した該第２品質閾値の指示情報と該基準品質の指示情報を受信することに用いられる通信ユニットを含む。
【０２０８】
選択可能に、該第２品質閾値は該推奨コードレートに基づき確定されるものである。
【０２０９】
選択可能に、該装置５００は、
該第１ネットワーク装置へ該第１コードレートの指示情報を送信することに用いられる通信ユニットを更に含む。
【０２１０】
本発明の実施例による無線通信の装置５００は本発明の実施例の方法の中の第１端末装置（例えば、端末装置＃Ａ）に対応することができ、且つ、無線通信の装置５００の各ユニット、即ちモジュールと上記他の操作及び／又は機能はそれぞれ図３において方法３００における端末装置＃Ａが実行する対応するフローを実現するためのものであり、簡潔にするため、ここでは繰り返さない。
【０２１１】
本発明の実施例による無線通信の装置は、端末装置がリンクの品質を測定した後、リンクの品質と第１コードレートがプリセットの条件を満たすか否かを判定し、且つ該判定結果に基づきリンクの品質を報告するか否かを確定し、上記プリセット条件が端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することをサポートすることができる。
【０２１２】
図６は本発明の一実施例の無線通信の装置６００の模式的なブロック図である。図６に示すように、該装置６００は、
該装置と第２端末装置は第１ネットワーク装置を介して無線通信する時、第１リンクのリンク品質を測定し、該第１リンクが該装置と該第１ネットワーク装置の間のリンクであることに用いられる確定ユニット６１０、及び
該第１ネットワーク装置へ該第１リンクのリンク品質の指示情報及び第１コードレートの指示情報を送信し、該第１コードレートは該装置に適用できるコードレートに基づき確定されるものであり、又は該第１コードレートは該第２端末装置に適用できるコードレートに基づき確定されるものであることに用いられる通信ユニット６２０を備える。
【０２１３】
選択可能に、該第１コードレートは該装置６００に適用できる最大コードレートと該第２端末装置に適用できる最大コードレートの中の小さい一方であり、又は
該第１コードレートは該装置６００に適用できるコードレートの集合と第２端末装置に適用できるコードレートの集合の交わりであり、又は
該第１コードレートは該装置６００に適用できる最大コードレートであり、又は
該第１コードレートは該装置６００に適用できるコードレートの集合であり、又は
該第１コードレートは該第２端末装置に適用できる最大コードレートであり、又は該第１コードレートは該第２端末装置に適用できるコードレートの集合である。
【０２１４】
選択可能に、該通信ユニット６２０は具体的に、該確定ユニット６１０が該第１リンクのリンク品質がプリセットの第１品質閾値以上であることを確定した後、該第１ネットワーク装置へ該第１リンクのリンク品質の指示情報及び第１コードレートの指示情報を送信することに用いられる。
【０２１５】
選択可能に、該通信ユニット６２０は更に該第１ネットワーク装置の送信した該第１品質閾値の指示情報を受信することに用いられる。
【０２１６】
選択可能に、該第１品質閾値は該推奨コードレートに基づき確定されるものである。
【０２１７】
選択可能に、該通信ユニット６２０は具体的に、該確定ユニット６１０は該第１リンクのリンク品質がプリセットの第２品質閾値以下であることを確定した後、該第１ネットワーク装置へ該第１リンクのリンク品質の指示情報及び第１コードレートの指示情報を送信することに用いられる。
【０２１８】
選択可能に、該通信ユニット６２０は更にが該第１ネットワーク装置の送信した該第２品質閾値の指示情報を受信することに用いられる。
【０２１９】
選択可能に、該第１品質閾値は該推奨コードレートに基づき確定されるものである。
本発明の実施例による無線通信の装置６００は本発明の実施例の方法の中の第１端末装置（例えば、端末装置＃Ａ）に対応することができ、且つ、無線通信装置６００の各ユニット、即ちモジュールと上記他の操作及び／又は機能はそれぞれ図４において方法４００における端末装置＃Ａが実行した対応するフローを実現するためのものであり、簡潔にするため、ここでは繰り返さない。
【０２２０】
本発明の実施例による無線通信の装置は、端末装置がリンクの品質を測定した後、リンクの品質と第１コードレートをともにネットワーク装置に報告し、第１コードレートは端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することをサポートすることができる。
【０２２１】
図７は本発明の一実施例の無線通信の装置７００の模式的なブロック図である。図７に示すように、該装置７００は、
第１端末装置と第２端末装置が該装置を介して無線通信する時、該第１端末装置の送信した第１リンクのリンク品質の指示情報及び第１コードレートの指示情報を受信し、該第１リンクは該第１端末装置と該装置の間のリンクであり、該第１コードレートは該第１端末装置に適用できるコードレートに基づき確定されるものであり、又は該第１コードレートは該第２端末装置に適用できるコードレートに基づき確定されるものであることに用いられる通信ユニット７１０、
該第１リンクのリンク品質に基づき目標コードレートを確定することに用いられる確定ユニット７２０、及び
該目標コードレートと該第１コードレートの間の大きさ関係に基づき、該第１端末装置が現在使用しているコードレートに対する調整処理を行うことに用いられる処理ユニット７３０、を備える。
【０２２２】
選択可能に、該第１コードレートは該第１端末装置に適用できる最大コードレートと該第２端末装置に適用できる最大コードレートの中の小さい一方であり、又は
該第１コードレートは第１端末装置に適用できるコードレートの集合と第２端末装置に適用できるコードレートの集合の交わりであり、又は
該第１コードレートは該第１端末装置に適用できる最大コードレートであり、又は
該第１コードレートは該第１端末装置に適用できるコードレートの集合であり、又は該第１コードレートは該第２端末装置に適用できる最大コードレートであり、又は
該第１コードレートは該第２端末装置に適用できるコードレートの集合である。
【０２２３】
選択可能に、該処理ユニット７３０は具体的に、該第１コードレートが該目標コードレート以下であると、該第１端末装置が現在使用しているコードレートを調整しないことに用いられる。
【０２２４】
選択可能に、該処理ユニット７３０は具体的に、該第１コードレートが該目標コードレートよりも大きいと、該第１端末装置が現在使用しているコードレートを該目標コードレートに調整することに用いられる。
【０２２５】
本発明の実施例による無線通信の装置７００は本発明の実施例の方法の中の第１ネットワーク装置（例えば、ネットワーク装置＃Ａ）に対応することができ、且つ、無線通信装置７００の各ユニット、即ちモジュールと上記他の操作及び／又は機能はそれぞれ図４において方法４００におけるネットワーク装置＃Ａが実行する対応するフローを実現するためのものであり、簡潔にするため、ここでは繰り返さない。
【０２２６】
本発明の実施例による無線通信の装置は、端末装置がリンクの品質を測定した後、リンクの品質と第１コードレートをともにネットワーク装置に報告し、第１コードレートは端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することをサポートすることができる。
【０２２７】
以上のように、図１〜図４を参照して本発明の実施例による無線通信の方法を詳しく説明し、以下、図８〜図１０を参照して本発明の実施例による無線通信の装置を詳しく説明する。
【０２２８】
図８は本発明の一実施例の無線通信の装置８００の模式的なブロック図である。図８に示すように、該装置８００はプロセッサー８１０とトランシーバ８２０を含み、プロセッサー８１０がトランシーバ８２０に接続され、選択可能に、該装置８００はメモリ８３０を更に含み、メモリ８３０はプロセッサー８１０に接続され、更に選択可能に、該装置８００はバスシステム８４０を含む。プロセッサー８１０、メモリ８３０及びトランシーバ８２０はバスシステム８４０によって接続されることができ、該メモリ８３０は命令を記憶することに用いることができ、該プロセッサー８１０は該メモリ８３０に記憶された命令を実行することに用いられ、トランシーバ８２０が情報又は信号を送信することを制御するようにする。
【０２２９】
該プロセッサー８１０は該装置８００と第２端末装置が第１ネットワーク装置を介して無線通信する時、第１リンクのリンク品質を測定することに用いられ、該第１リンクは該装置８００と該第１ネットワーク装置の間のリンクである。
【０２３０】
該プロセッサー８１０は該第１リンクのリンク品質と第１コードレートに基づき、該トランシーバ８２０が該第１リンクのリンク品質に対する報告処理を行うことを制御することに用いられ、該第１コードレートは該装置８００に適用できるコードレートに基づき確定されるものであり、又は該第１コードレートは該第２端末装置に適用できるコードレートに基づき確定されるものである。
【０２３１】
選択可能に、該第１コードレートは該装置８００に適用できる最大コードレートと該第２端末装置に適用できる最大コードレートの中の小さい一方である。
【０２３２】
選択可能に、該プロセッサー８１０は具体的に、第１関係と第２関係に基づき、該第１リンクのリンク品質に対する報告処理を行うことに用いられ、該第１関係は該第１リンクのリンク品質とプリセットの第１品質閾値の間の大きさ関係であり、該第２関係は該第１コードレートと推奨コードレートの間の大きさ関係であり、該推奨コードレートは該第１ネットワーク装置が現在の時間の前に最後の一回に指示される該装置８００に使用されるコードレートである。
【０２３３】
選択可能に、該プロセッサー８１０は具体的に、該第１関係は該第１リンクのリンク品質が該第１品質閾値以上であることであり、且つ該第２関係は第１コードレートが該推奨コードレートより小さいことであると、該第１ネットワーク装置へ該第１リンクのリンク品質を報告しないことに用いられ、又は
該プロセッサー８１０は具体的に、該第１関係は該第１リンクのリンク品質が該第１品質閾値以上であることであり、且つ該第２関係は第１コードレートが該推奨コードレート以上であることであると、該第１ネットワーク装置へ該第１リンクのリンク品質を報告することに用いられる。
【０２３４】
選択可能に、プロセッサー８１０はトランシーバ８２０が該第１ネットワーク装置の送信した該第１品質閾値の指示情報を受信するように制御することに用いられる。
【０２３５】
選択可能に、該第１品質閾値は該推奨コードレートに基づき確定されるものである。
【０２３６】
選択可能に、プロセッサー８１０は具体的に、第３関係と第４関係に基づき、該第１リンクのリンク品質に対する報告処理を行うことに用いられ、該第３関係は該第１リンクのリンク品質とプリセットの第２品質閾値の間の大きさ関係であり、該第４関係は該第１リンクのリンク品質と基準品質の間の大きさ関係であり、該基準品質は該第１コードレートに基づき確定されるものである。
【０２３７】
選択可能に、プロセッサー８１０は具体的に、該第３関係は該第１リンクのリンク品質が該第２品質閾値以下であることであり、且つ該第４関係は該第１リンクのリンク品質が第１基準品質以上であることであると、該第１ネットワーク装置へ該第１リンクのリンク品質を報告しないことに用いられ、又は
該プロセッサー８１０は具体的に、該第３関係は該第１リンクのリンク品質が該第２品質閾値以下であることであり、且つ該第４関係は該第１リンクのリンク品質が第２基準品質より小さいことであると、該第１ネットワーク装置へ該第１リンクのリンク品質を報告することに用いられる。
【０２３８】
選択可能に、プロセッサー８１０はトランシーバ８２０が該第１ネットワーク装置の送信した該第２品質閾値の指示情報と該基準品質の指示情報を受信するように制御することに用いられる。
【０２３９】
選択可能に、該第２品質閾値は該推奨コードレートに基づき確定されるものである。
【０２４０】
選択可能に、該プロセッサー８１０はトランシーバ８２０が該第１ネットワーク装置へ該第１コードレートの指示情報を送信するように制御することに用いられる。
本発明の実施例による無線通信の装置８００は本発明の実施例の方法の中の第１端末装置（例えば、端末装置＃Ａ）に対応することができ、且つ、無線通信装置８００の各ユニット、即ちモジュールと上記他の操作及び／又は機能はそれぞれ図３において方法３００における端末装置＃Ａが実行する対応するフローを実現するためのものであり、簡潔にするため、ここでは繰り返さない。
【０２４１】
本発明の実施例による無線通信の装置は、端末装置がリンクの品質を測定した後、リンクの品質と第１コードレートがプリセットの条件を満たすか否かを判定し、該判定結果に基づきリンクの品質を報告するか否かを確定し、上記プリセット条件は端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得るを確保することができ、それによりリンク品質を報告する通信リソースオーバーヘッドを低減させ、端末装置とネットワーク装置の処理負担を減少することをサポートすることができる。
【０２４２】
図９は本発明の一実施例の無線通信の装置９００の模式的なブロック図である。図９に示すように、該装置９００はプロセッサー９１０とトランシーバ９２０を含み、プロセッサー９１０とトランシーバ９２０が接続され、選択可能に、該装置９００はメモリ９３０を更に含み、メモリ９３０とプロセッサー９１０が接続され、更に選択可能に、該装置９００はバスシステム９４０を含む。プロセッサー９１０、メモリ９３０及びトランシーバ９２０はバスシステム９４０によって接続されることができ、該メモリ９３０は命令を記憶することに用いられ、該プロセッサー９１０は該メモリ９３０に記憶された命令を実行するためのものであり、トランシーバ９２０が情報又は信号を送信するように制御する。
【０２４３】
該プロセッサー９１０は該装置と第２端末装置が第１ネットワーク装置を介して無線通信する時、第１リンクのリンク品質を測定することに用いられ、該第１リンクは該装置と該第１ネットワーク装置の間のリンクである。
【０２４４】
該プロセッサー９１０はトランシーバ９２０が該第１ネットワーク装置へ該第１リンクのリンク品質の指示情報及び第１コードレートの指示情報を送信するように制御することに用いられ、該第１コードレートは該装置に適用できるコードレートに基づき確定されるものであり、又は該第１コードレートは該第２端末装置に適用できるコードレートに基づき確定されるものである。
【０２４５】
選択可能に、該第１コードレートは該装置に適用できる最大コードレートと該第２端末装置に適用できる最大コードレートの中の小さい一方である。
【０２４６】
選択可能に、該プロセッサー９１０は、トランシーバ９２０が該第１リンクのリンク品質がプリセットの第１品質閾値以上であることを確定した後、該第１ネットワーク装置へ該第１リンクのリンク品質の指示情報及び第１コードレートの指示情報を送信するように制御することに用いられる。
【０２４７】
選択可能に、該プロセッサー９１０はトランシーバ９２０が該第１ネットワーク装置の送信した該第１品質閾値の指示情報を受信するように制御する用いられる。
【０２４８】
選択可能に、該第１品質閾値は該推奨コードレートに基づき確定されるものである。
【０２４９】
選択可能に、該プロセッサー９１０は、トランシーバ９２０が該第１リンクのリンク品質がプリセットの第２品質閾値以下であることを確定した後、該第１ネットワーク装置へ該第１リンクのリンク品質の指示情報及び第１コードレートの指示情報を送信するように制御することに用いられる。
【０２５０】
選択可能に、該プロセッサー９１０はトランシーバ９２０が該第１ネットワーク装置の送信した該第２品質閾値の指示情報を受信するように制御する用いられる。
【０２５１】
選択可能に、該第１品質閾値は該推奨コードレートに基づき確定されるものである。
【０２５２】
本発明の実施例による無線通信の装置９００は本発明の実施例の方法の中の第１端末装置（例えば、端末装置＃Ａ）に対応することができ、且つ、無線通信装置９００の各ユニット、即ちモジュールと上記他の操作及び／又は機能はそれぞれ図４において方法４００における端末装置＃Ａが実行する対応するフローを実現するためのものであり、簡潔にするため、ここでは繰り返さない。
【０２５３】
本発明の実施例による無線通信の装置は、端末装置がリンクの品質を測定した後、リンクの品質と第１コードレートをともにネットワーク装置に報告し、第１コードレートは端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することをサポートすることができる。
【０２５４】
図１０は本発明の一実施例の無線通信の装置１０００の模式的なブロック図である。図１０に示すように、該装置１０００は、プロセッサー１０１０とトランシーバ１０２０を含み、プロセッサー１０１０とトランシーバ１０２０が接続され、選択可能に、該装置１０００はメモリ１０３０を更に含み、メモリ１０３０がプロセッサー１０１０に接続され、更に選択可能に、該装置１０００はバスシステム１０４０を含む。プロセッサー１０１０、メモリ１０３０及びトランシーバ１０２０はバスシステム１０４０によって接続されることができ、該メモリ１０３０は命令を記憶することに用いられ、該プロセッサー１０１０は該メモリ１０３０に記憶された命令を実行するためのものであり、トランシーバ１０２０は情報又は信号を送信するように制御することに用いられる。
【０２５５】
プロセッサー１０１０は、トランシーバ１０２０が、第１端末装置と第２端末装置が該装置を介して無線通信する時、該第１端末装置の送信した第１リンクのリンク品質の指示情報及び第１コードレートの指示情報を受信するように制御することに用いられ、該第１リンクは該第１端末装置と該装置の間のリンクであり、該第１コードレートは該第１端末装置に適用できるコードレートに基づき確定されるものであり、又は該第１コードレートは該第２端末装置に適用できるコードレートに基づき確定されるものである。
【０２５６】
プロセッサー１０１０は該第１リンクのリンク品質に基づき目標コードレートを確定することに用いられ、
プロセッサー１０１０は該目標コードレートと該第１コードレートの間の大きさ関係に基づき、該第１端末装置が現在使用しているコードレートに対する調整処理を行うことに用いられる。
【０２５７】
選択可能に、該第１コードレートは該第１端末装置に適用できる最大コードレートと該第２端末装置に適用できる最大コードレートの中の小さい一方である。
【０２５８】
選択可能に、プロセッサー１０１０は具体的に、該第１コードレートが該目標コードレート以下であると、該第１端末装置が現在使用しているコードレートを調整しないことに用いられる。
【０２５９】
選択可能に、プロセッサー１０１０は具体的に、該第１コードレートが該目標コードレートよりも大きいと、該第１端末装置が現在使用しているコードレートを該目標コードレートに調整することに用いられる。
【０２６０】
本発明の実施例による無線通信の装置１０００は本発明の実施例の方法の中の第１ネットワーク装置（例えば、ネットワーク装置＃Ａ）に対応することができ、且つ、無線通信の装置１０００の各ユニット、即ちモジュールと上記他の操作及び／又は機能はそれぞれ図４において方法４００におけるネットワーク装置＃Ａが実行する対応するフローを実現するためのものであり、簡潔にするため、ここでは繰り返さない。
【０２６１】
本発明の実施例による無線通信の装置は、端末装置がリンクの品質を測定した後、リンクの品質と第１コードレートをともにネットワーク装置に報告し、第１コードレートは端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することをサポートすることができる。
【０２６２】
なお、本発明の実施例において、「端末装置に適用されるコードレート」は「端末装置がサポートすることができるコードレート」、或いは、「端末装置が使用することができるコードレート」を含んでもよい。
【０２６３】
なお、本発明の上記方法の実施例はプロセッサーに応用されることができ、或いはプロセッサーで実現されることができる。プロセッサーは、信号の処理能力を有する集積回路チップであってもよい。実現過程において、上記方法の実施例の各ステップはプロセッサーにおけるハードウェアの集積ロジック回路或いはソフトウェア形式の命令によって完成されることができる。上記のプロセッサーは汎用プロセッサー、デジタル信号プロセッサー（Ｄｉｇｉｔａｌ  Ｓｉｇｎａｌ  Ｐｒｏｃｅｓｓｏｒ、ＤＳＰ）、特定集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）或いは他のプログラマブルロジックデバイス、離散ゲート或いはトランジスタ論理デバイス、ディスクリートハードウェアコンポーネントであってもよい。本発明の実施例における開示された各方法、ステップ及び論理ブロック図を実現或いは実行することができる。汎用プロセッサーはマイクロプロセッサであってもよく或いは該プロセッサーが任意の一般的なプロセッサー等であってもよい。本発明の実施例に開示された方法のステップを組み合わせて直接にハードウェアデコードプロセッサーで実行し完成されると体現することができ、或いはデコードプロセッサーにおけるハードウェア及びソフトウェアモジュールを組み合わせて実行し完成されることができる。ソフトウェアモジュールはランダムメモリ、フラッシュメモリ、読み取り専用メモリ、プログラマブル読み取り専用メモリ或いは電気的消去可能プログラマブルメモリ、レジスタ等の本分野で成熟した記憶メディアにあってもよい。該記憶メディアはメモリにあり、プロセッサーはメモリにおける情報を読み取って、そのハードウェアを組み合わせて上記方法のステップを完成する。
【０２６４】
理解できるはのは、本発明の実施例におけるメモリは揮発性メモリ又は不揮発性メモリであってもよく、又は揮発性と不揮発性メモリをともに含んでもよい。不揮発性メモリは読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的に消去可能なプログラマブル読み取り専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部キャッシュとして使用される。例示的なものであるが限定するためのものではない説明によって、複数の形式のＲＡＭを利用することができ、例えばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータ速率同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、強化型同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈｌｉｎｋ  ＤＲＡＭ、ＳＬＤＲＡＭ）及び直接メモリバスランダムアクセスメモリ（Ｄｉｒｅｃｔ  Ｒａｍｂｕｓ  ＲＡＭ、ＤＲ  ＲＡＭ）を利用することができる。なお、本文に記載のシステムと方法のメモリはこれらと任意の他の適合なタイプのメモリを含むが、これらに限定されない。
【０２６５】
以上は、本発明の具体的な実施形態だけであるが、本発明の保護範囲はこれに制限されなく、当業者の誰でも、本発明が開示した技術範囲に、容易に想到できる変化又は取り替えはいずれも、本発明の保護範囲に含まれるべきである。このため、本発明の保護範囲は前記請求項の保護範囲を基準とすべきである。
【０２６６】
理解すべきなのは、明細書全文に言及された「１つの実施例」又は「一実施例」は実施例に関する特定特徴、構造又は特性が本発明の少なくとも１つの実施例に含まれることを意味する。このため、明細書全体の各箇所に出現した「１つの実施例において」又は「一実施例において」が必ずしも同じ実施例を指しない。なお、衝突しない場合には、これらの実施例及実施例に特定された特徴、構造又は特性は任意の適合な方式で１つ又は複数の実施例に組み合わせられることができる。
【０２６７】
本発明の各種の実施例において、上記各過程のシリアル番号の大きさが実行順序の前後を意味せず、各過程の実行順序がその機能及び内部ロジックによって確定されるべき、本発明の実施例の実施過程に任意の限定を構成しないことを理解すべきである。
本発明の実施例において、「Ａに対応するＢ」とはＢがＡに関連すると示され、ＡによってＢを確定することができることを理解すべきである。しかし、更に、ＡによってＢを確定することは単にＡによってＢを確定することを意味せず、更にＡ及び／又はその他の情報によってＢを確定することができることを理解すべきである。
【０２６８】
本文における用語「及び／又は」は、単に関連オブジェクトを説明するための関連関係であり、三種の関係が存在してもよいことを示し、例えば、Ａ及び／又はＢは、単独にＡが存在し、同時にＡとＢが存在し、単独にＢが存在するという三種の場合を示すことができる。また、本文におけるキャラクター「／」は、一般的に前後関連オブジェクトが「又は」の関係であることを示すことを理解すべきである。
【０２６９】
当業者は、本文に開示された実施例に記載の各例示のユニット及アルゴリズムステップを組み合わせて、電子ハードウェア、又はコンピュータソフトウェア及び電子ハードウェアの組み合わせて実現することができることを認識することができる。これらの機能はハードウェアで実行するかソフトウェアで実行するかは、技術案の特定のアプリケーションおよび設計制約に依存する。当業者は各特定のアプリケーションに対して異なる方法で説明した機能を実現することができるが、このような実現は本発明の範囲を超えると考えない。
【０２７０】
当業者は、便利且つ簡単に説明するために、上記記載のシステム、装置及びユニットの具体的な作業過程は、上記方法の実施例における対応過程を参照することができ、ここで繰り返して説明しないことを明らかに了解する。
【０２７１】
本発明によるいくつかの実施例において、開示したシステム、装置及び方法は、その他の方式によって実現されることができることを理解すべきである。例えば以上のような装置実施例は単に例示的なものだけであり、例えば、前記ユニットの分割は、ロジック機能分割だけであり、実際な実現時に別の分割方式があり、例えば、複数のユニット又は組立部品を結合してもよいし、又は別のシステムに集積してもよいし、又はいくつかの特徴を無視でき、又は実行しなくてもよい。また、表示又は検討した各組成部分の互いの間にカップリング、又は直接カップリング、又は通信接続はいくつかのインターフェース、装置又はユニットによる間接カップリング又は通信接続であってもよく、電気的、機械的又はその形式の接続であってもよい。
【０２７２】
上記の分離部材として説明したユニットは物理的に分離してもよいし、又は物理的に分離しなくてもよく、ユニットとして表示する部材は物理ユニットであってもよいし、又は物理ユニットではなくてもよく、即ち１つの場所に位置してもよいし、複数のネットワークユニットに分布してもよく、実際の需要に応じてその中の一部又は全部のユニットを選択して本実施例手段の目的を実現することができる。
【０２７３】
また、本発明の各実施例における各機能ユニットは１つの処理ユニットに集積されてもよいし、各ユニットは単独に物理的に存在してもよいし、２つ又は２つ以上のユニットは１つのユニットに集積されてもよい。
【０２７４】
以上のように、単に本発明の具体的な実施形態であるが、本発明の保護範囲はこれに限定されず、いずれかの当業者は本発明に開示された技術範囲において、容易に想到できる変化又は切り替えはすべて本発明の保護範囲にある。このため、本発明の保護範囲は前記請求の範囲の保護範囲を基準とすべきである。
【図１】
2019533322.tif 000006
【図２】
2019533322.tif 000007
【図３】
2019533322.tif 000008
【図４】
2019533322.tif 000009
【図５】
2019533322.tif 000010
【図６】
2019533322.tif 000011
【図７】
2019533322.tif 000012
【図８】
2019533322.tif 000013
【図９】
2019533322.tif 000014
【図１０】
2019533322.tif 000015
【手続補正書】
【提出日】令和1年9月9日(2019.9.9)
【手続補正１】
【補正対象書類名】明細書
【補正対象項目名】０００４
【補正方法】変更
【補正の内容】
【０００４】
しかし、該技術において、符号化・復号化能力（例えば、適用できるコードレート）の制限によって端末装置或いは相手端がネットワーク装置を介して調整したコードレートをサポートできない場合が発生する可能性があり、即ち、通信リンクのリンク品質の報告過程及びネットワーク装置の調整過程は所望の効果を得ることができず、上記の通信リンクのリンク品質を報告する過程に使用される通信リソースの浪費を引き起こし、且つ端末装置とネットワーク装置の処理リソースの浪費を引き起こしてしまう。
【手続補正２】
【補正対象書類名】明細書
【補正対象項目名】０００５
【補正方法】変更
【補正の内容】
【０００５】
本発明の実施例は無線通信の方法及び装置を提供し、リンク品質を報告する通信リソースオーバーヘッドを低減させることをサポートすることができる。
【手続補正３】
【補正対象書類名】明細書
【補正対象項目名】００５９
【補正方法】変更
【補正の内容】
【００５９】
図１は本発明の通信システムを使用した一例のモード図である。図１に示すように、本方法の実施例において、通信システムはアクセスネットワーク１００とアクセスネットワーク２００を含み、アクセスネットワーク１００はネットワーク装置１０２及び少なくとも１つの端末装置１１６を含み、アクセスネットワーク２００はネットワーク装置２０２と少なくとも１つの端末装置２１６を含み、ネットワーク装置１０２とネットワーク装置２０２は例えば、光ファイバ等の伝送メディアによって通信接続されてもよく、それにより、端末装置１１６は端末装置２１６と通信する必要がある時、アクセスネットワーク１００が提供した無線リソース（例えば、時間領域リソース、周波数領域リソース、空域リソース及びコードドメインリソース等）によってデータをネットワーク装置１０２に送信することができ、ネットワーク装置１０２はネットワーク装置２０２との間の通信接続によって、該データをネットワーク装置２０２に送信することができ、それにより、ネットワーク装置２０２はアクセスネットワーク２００が提供した無線リソースによってデータを端末装置２１６に送信することができる。
【手続補正４】
【補正対象書類名】明細書
【補正対象項目名】００６１
【補正方法】変更
【補正の内容】
【００６１】
本発明の実施例において、該通信システムは公衆陸上モバイルネットワーク（英語の全称はＰｕｂｌｉｃ  Ｌａｎｄ  Ｍｏｂｉｌｅ  Ｎｅｔｗｏｒｋであってもよく、英語の略語はＰＬＭＮであってもよい）或いはＤ２Ｄネットワーク或いはＭ２Ｍネットワーク或いは他のネットワークであってもよく、図１は単に例示的な簡素化モード図であり、ネットワークには他のネットワーク装置を更に含んでもよく、図１には示されない。
【手続補正５】
【補正対象書類名】明細書
【補正対象項目名】００６５
【補正方法】変更
【補正の内容】
【００６５】
図２に示すように、端末装置１１６がアンテナ１１２と１１４に通信され、アンテナ１１２と１１４はフォワードリンク１１８によって端末装置１１６へ情報を送信し、且つリバースリンク１２０によって端末装置１１６から情報を受信する。なお、端末装置１２２がアンテナ１０４と１０６に通信され、アンテナ１０４と１０６はフォワードリンク１２４によって端末装置１２２へ情報を送信し、且つリバースリンク１２６によって端末装置１２２から情報を受信する。
【手続補正６】
【補正対象書類名】明細書
【補正対象項目名】００７４
【補正方法】変更
【補正の内容】
【００７４】
新たなネットワークと新たな要求に基づいて、伝送周波数帯リソースを節約する観点からでも、回線通信の高効率を保持する等の観点からでも、各種の可変レート音声エンコード技術のシステムを研究して利用することはすべて重要な役割がある。現在、この需要に適応するために適応型マルチレート（Ａｄａｐｔｉｖｅ  Ｍｕｌｔｉ−ｒａｔｅ、ＡＭＲ）の概念を提出し、即ち適応型マルチレート音声エンコーダであり、主に移動装置のオーディオに用いられ、圧縮比が比較的に大きいが、他の圧縮形式に対して品質が比較的に悪く、主に音声通話に使用されるため、ＡＭＲは更に２種に分けられ、１種は適応型マルチレートナローバンドエンコード（ＡＭＲ−ＮａｒｒｏｗＢａｎｄ、ＡＭＲ−ＮＢ）であり、音声帯域幅の範囲が３００−３７００Ｈｚであり、８ＫＨｚのサンプリング周波数であり、他種は適応型マルチレートブロードバンドエンコード（ＡＭＲ−ＷｉｄｅＢａｎｄ、ＡＭＲ−ＷＢ）であり、音声帯域幅の範囲が５０−７０００Ｈｚであり、１６ＫＨｚのサンプリング周波数である。しかし、音声の短期相関性を考えて、各フレームの長さがいずれも２０ｍｓである。この２種のエンコーダは帯域幅の要件に基づき異なる速率を選択したが、類似点がある。
【手続補正７】
【補正対象書類名】明細書
【補正対象項目名】００８２
【補正方法】変更
【補正の内容】
【００８２】
限定ではなく例示として、本発明の実施例において、ビット率がオーディオとビデオの圧縮と以下の関係を有してもよい。ビット率が高いほど、オーディオとビデオの品質が良いが、エンコード後のファイルが大きくなり、ビット率が低いほどオーディオとビデオの品質が低くなるが、エンコード後のファイルが小さくなる。
ある実現方式において、該コードレートはアプリケーション層でオーディオとビデオデータをエンコード又はデコードする時に使用されるコードレートであり、又は、該コードレートはアクセス層がオーディオとビデオデータを伝送する時使用されるビットレートである。
【手続補正８】
【補正対象書類名】明細書
【補正対象項目名】００８７
【補正方法】変更
【補正の内容】
【００８７】
本発明の実施例において、端末装置＃Ａの適用できる（例えば、端末装置＃Ａがサポートすることができるもの、又は、ネットワーク装置が端末装置＃Ａに指定して使用されたもの）１つ又は複数のコードレートがコードレート集合＃Ａと呼ばれ、端末装置＃Ｂに適用できる（例えば、端末装置＃Ｂがサポートすることができるもの、又は、ネットワーク装置が端末装置＃Ｂに指定して使用されたもの）１つ又は複数のコードレートがコードレート集合＃Ｂと呼ばれると、上記コードレート＃Ａはコードレート集合＃Ａに属することができ、且つコードレート＃Ａはコードレート集合＃Ｂに属することができる。
【手続補正９】
【補正対象書類名】明細書
【補正対象項目名】０１４９
【補正方法】変更
【補正の内容】
【０１４９】
本発明の実施例による無線通信の方法は、端末装置がリンクの品質を測定した後、リンクの品質と第１コードレートがプリセットの条件を満たすか否かを判定し、且つ該判定結果に基づきリンクの品質を報告するか否かを確定し、上記プリセット条件が端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することができる。
【手続補正１０】
【補正対象書類名】明細書
【補正対象項目名】０１５４
【補正方法】変更
【補正の内容】
【０１５４】
本発明の実施例による無線通信の方法により、端末装置がリンクの品質を測定した後、リンクの品質と第１コードレートをともにネットワーク装置に報告し、上記プリセット条件は端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することができる。
【手続補正１１】
【補正対象書類名】明細書
【補正対象項目名】０１５５
【補正方法】変更
【補正の内容】
【０１５５】
図４は本発明の実施例の無線通信の方法の他例の模式的なインタラクションダイアグラムである。図４に示すように、端末装置＃Ａ（即ち、第１端末装置の一例）と端末装置＃Ｂ（即ち、第２端末装置）は無線通信を行う（例えば、音声データを伝送する）時、端末装置＃Ａはある種類のコードレート＃Ａで送信する必要があるデータをエンコード処理することができ（或いは、圧縮処理とも呼ばれる）、且つ得られたデータを該端末装置＃Ａのアクセスしたネットワーク装置＃Ａに送信し、ネットワーク装置＃Ａは該データを該端末装置＃Ｂのアクセスしたネットワーク装置＃Ｂに送信し、それにより、ネットワーク装置＃Ｂは該データを端末装置＃Ｂに送信することができ、該コードレート＃Ａはシステムに規定されたコードレートであってもよく、ネットワーク装置＃Ａがシグナリングによって端末装置＃Ａに指示されたコードレートであってもよく、或いは、該コードレート＃Ａは更に端末装置＃Ａと端末装置＃Ｂ（例えば、ネットワーク装置＃Ａとネットワーク装置＃Ｂを介する）が相談し確定されるコードレートであってもよい。
【手続補正１２】
【補正対象書類名】明細書
【補正対象項目名】０１５６
【補正方法】変更
【補正の内容】
【０１５６】
本発明の実施例において、端末装置＃Ａに適用できる１つ又は複数のコードレートをコードレート集合＃Ａと称し、端末装置＃Ｂに適用できる１つ又は複数のコードレートをコードレート集合＃Ｂと称すると、上記コードレート＃Ａはコードレート集合＃Ａに属することができ、且つコードレート＃Ａがコードレート集合＃Ｂに属することができる。即ち、端末装置＃Ａと端末装置＃Ｂはいずれも該コードレート＃Ａをサポートすることができ、それにより、端末装置＃Ａがコードレート＃Ａに基づいてデータに対するエンコードを完成することができることを確保することができ、且つ端末装置＃Ｂがコードレート＃Ａに基づいてデータに対するデコードを完成することができることを確保することができる。
【手続補正１３】
【補正対象書類名】明細書
【補正対象項目名】０１９６
【補正方法】変更
【補正の内容】
【０１９６】
本発明の実施例による無線通信の方法によって、端末装置がリンクの品質を測定した後、リンクの品質と第１コードレートをともにネットワーク装置に報告し、第１コードレートは端末装置又は相手端に適用ができるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することができる。
【手続補正１４】
【補正対象書類名】明細書
【補正対象項目名】０２１１
【補正方法】変更
【補正の内容】
【０２１１】
本発明の実施例による無線通信の装置は、端末装置がリンクの品質を測定した後、リンクの品質と第１コードレートがプリセットの条件を満たすか否かを判定し、且つ該判定結果に基づきリンクの品質を報告するか否かを確定し、上記プリセット条件が端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することができる。
【手続補正１５】
【補正対象書類名】明細書
【補正対象項目名】０２１９
【補正方法】変更
【補正の内容】
【０２１９】
選択可能に、該第２品質閾値は該推奨コードレートに基づき確定されるものである。
本発明の実施例による無線通信の装置６００は本発明の実施例の方法の中の第１端末装置（例えば、端末装置＃Ａ）に対応することができ、且つ、無線通信装置６００の各ユニット、即ちモジュールと上記他の操作及び／又は機能はそれぞれ図４において方法４００における端末装置＃Ａが実行した対応するフローを実現するためのものであり、簡潔にするため、ここでは繰り返さない。
【手続補正１６】
【補正対象書類名】明細書
【補正対象項目名】０２４１
【補正方法】変更
【補正の内容】
【０２４１】
本発明の実施例による無線通信の装置は、端末装置がリンクの品質を測定した後、リンクの品質と第１コードレートがプリセットの条件を満たすか否かを判定し、該判定結果に基づきリンクの品質を報告するか否かを確定し、上記プリセット条件は端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得るを確保することができ、それによりリンク品質を報告する通信リソースオーバーヘッドを低減させ、端末装置とネットワーク装置の処理負担を減少することができる。
【手続補正１７】
【補正対象書類名】明細書
【補正対象項目名】０２５１
【補正方法】変更
【補正の内容】
【０２５１】
選択可能に、該第２品質閾値は該推奨コードレートに基づき確定されるものである。
【手続補正１８】
【補正対象書類名】明細書
【補正対象項目名】０２５３
【補正方法】変更
【補正の内容】
【０２５３】
本発明の実施例による無線通信の装置は、端末装置がリンクの品質を測定した後、リンクの品質と第１コードレートをともにネットワーク装置に報告し、第１コードレートは端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することができる。
【手続補正１９】
【補正対象書類名】明細書
【補正対象項目名】０２６１
【補正方法】変更
【補正の内容】
【０２６１】
本発明の実施例による無線通信の装置は、端末装置がリンクの品質を測定した後、リンクの品質と第１コードレートをともにネットワーク装置に報告し、第１コードレートは端末装置又は相手端に適用できるコードレートに基づいて確定されるものであるので、リンクの品質を報告した後、ネットワーク装置は該リンクの品質に基づいて確定された調整後のコードレートが端末装置又は相手端のサポートを得ることを確保することができ、それによりリンク品質を報告する通信リソースオーバーヘッドを低減させ、端末装置とネットワーク装置の処理負担を減少することができる。
【手続補正２０】
【補正対象書類名】特許請求の範囲
【補正対象項目名】全文
【補正方法】変更
【補正の内容】
【特許請求の範囲】
【請求項１】
無線通信の方法であって、前記方法は、
第１端末装置と第２端末装置が第１ネットワーク装置を介して無線通信する時、前記第１端末装置が第１リンクのリンク品質を測定し、前記第１リンクが前記第１端末装置と前記第１ネットワーク装置の間のリンクであること、及び
前記第１端末装置が前記第１リンクのリンク品質と第１コードレートに基づき、前記第１リンクのリンク品質に対する報告処理を行い、前記第１コードレートが前記第１端末装置に適用できるコードレートに基づき確定されるものであり、又は前記第１コードレートは前記第２端末装置に適用できるコードレートに基づき確定されるものであること、を含むことを特徴とする無線通信の方法。
【請求項２】
前記第１コードレートは前記第１端末装置に適用できる最大コードレートと前記第２端末装置に適用できる最大コードレートの中の小さい一方であり、又は
前記第１コードレートは第１端末装置に適用できるコードレートの集合と第２端末装置に適用できるコードレートの集合の交わりであり、又は
前記第１コードレートは前記第１端末装置に適用できる最大コードレートであり、又は
前記第１コードレートは前記第１端末装置に適用できるコードレートの集合であり、又は
前記第１コードレートは前記第２端末装置に適用できる最大コードレートであり、又は
前記第１コードレートは前記第２端末装置に適用できるコードレートの集合であることを特徴とする請求項１に記載の方法。
【請求項３】
前記第１端末装置は前記第１リンクのリンク品質と第１コードレートに基づき、前記第１リンクのリンク品質に対する報告処理を行うことは、
前記第１端末装置が第１関係と第２関係に基づき、前記第１リンクのリンク品質に対する報告処理を行い、前記第１関係は前記第１リンクのリンク品質とプリセットの第１品質閾値の間の大きさ関係であり、前記第２関係は前記第１コードレートと推奨コードレートの間の大きさ関係であり、前記推奨コードレートは前記第１ネットワーク装置が現在の時間の前に最後の一回に指示される前記第１端末装置に使用されるコードレートであることを含むことを特徴とする請求項１又は２に記載の方法。
【請求項４】
前記第１端末装置が第１関係と第２関係に基づき、前記第１リンクのリンク品質に対する報告処理を行うことは、
前記第１関係は前記第１リンクのリンク品質が前記第１品質閾値以上であることであり、且つ前記第２関係は第１コードレートが前記推奨コードレートより小さいことであると、前記第１端末装置は前記第１ネットワーク装置へ前記第１リンクのリンク品質を報告しないこと、又は
前記第１関係は前記第１リンクのリンク品質が前記第１品質閾値以上であることであり、且つ前記第２関係は第１コードレートが前記推奨コードレート以上であることであると、前記第１端末装置は前記第１ネットワーク装置へ前記第１リンクのリンク品質を報告することを含むことを特徴とする請求項３に記載の方法。
【請求項５】
前記方法は、
前記第１端末装置が前記第１ネットワーク装置の送信した前記第１品質閾値の指示情報を受信することを更に含むことを特徴とする請求項３又は４に記載の方法。
【請求項６】
前記第１品質閾値は前記推奨コードレートに基づき確定されるものであることを特徴とする請求項３〜５のいずれかに記載の方法。
【請求項７】
前記第１端末装置は前記第１リンクのリンク品質と第１コードレートに基づき、前記第１リンクのリンク品質に対する報告処理を行うことは、
前記第１端末装置が第３関係と第４関係に基づき、前記第１リンクのリンク品質に対する報告処理を行い、前記第３関係は前記第１リンクのリンク品質とプリセットの第２品質閾値の間の大きさ関係であり、前記第４関係は前記第１リンクのリンク品質と基準品質の間の大きさ関係であり、前記基準品質は前記第１コードレートに基づき確定されるものであることを含み、
前記第１端末装置が第３関係と第４関係に基づき、前記第１リンクのリンク品質に対する報告処理を行うことは、
前記第３関係は前記第１リンクのリンク品質が前記第２品質閾値以下であることであり、且つ前記第４関係は前記第１リンクのリンク品質が第１基準品質以上であることであると、前記第１端末装置は前記第１ネットワーク装置へ前記第１リンクのリンク品質を報告しないこと、又は
前記第３関係は前記第１リンクのリンク品質が前記第２品質閾値以下であることであり、且つ前記第４関係は前記第１リンクのリンク品質が第２基準品質より小さいことであると、前記第１端末装置は前記第１ネットワーク装置へ前記第１リンクのリンク品質を報告することを含むことを特徴とする請求項１又は２に記載の方法。
【請求項８】
前記方法は、
前記第１端末装置は前記第１ネットワーク装置の送信した前記第２品質閾値の指示情報と前記基準品質の指示情報を受信することを更に含むことを特徴とする請求項７に記載の方法。
【請求項９】
前記第２品質閾値は推奨コードレートに基づき確定されるものであることを特徴とする請求項７又は８に記載の方法。
【請求項１０】
前記方法は、
前記第１端末装置は前記第１ネットワーク装置へ前記第１コードレートの指示情報を送信することを更に含むことを特徴とする請求項１〜９のいずれかに記載の方法。
【請求項１１】
無線通信の方法であって、前記方法は、
第１端末装置と第２端末装置は第１ネットワーク装置を介して無線通信する時、前記第１端末装置が第１リンクのリンク品質を測定し、前記第１リンクが前記第１端末装置と前記第１ネットワーク装置の間のリンクであること、及び
前記第１端末装置は前記第１ネットワーク装置へ前記第１リンクのリンク品質の指示情報及び第１コードレートの指示情報を送信し、前記第１コードレートは前記第１端末装置に適用できるコードレートに基づき確定されるものであり、又は前記第１コードレートは前記第２端末装置に適用できるコードレートに基づき確定されるものであることを含むことを特徴とする無線通信の方法。
【請求項１２】
前記第１コードレートは前記第１端末装置に適用できる最大コードレートと前記第２端末装置に適用できる最大コードレートの中の小さい一方であり、又は
前記第１コードレートは第１端末装置に適用できるコードレートの集合と第２端末装置に適用できるコードレートの集合の交わりであり、又は
前記第１コードレートは前記第１端末装置に適用できる最大コードレートであり、又は
前記第１コードレートは前記第１端末装置に適用できるコードレートの集合であり、又は
前記第１コードレートは前記第２端末装置に適用できる最大コードレートであり、又は
前記第１コードレートは前記第２端末装置に適用できるコードレートの集合であることを特徴とする請求項１１に記載の方法。
【請求項１３】
前記第１端末装置は前記第１ネットワーク装置へ前記第１リンクのリンク品質の指示情報及び第１コードレートの指示情報を送信することは、
前記第１端末装置は前記第１リンクのリンク品質がプリセットの第１品質閾値以上であることを確定した後、前記第１ネットワーク装置へ前記第１リンクのリンク品質の指示情報及び第１コードレートの指示情報を送信し、或いは
前記第１端末装置は前記第１リンクのリンク品質がプリセットの第２品質閾値以下であることを確定した後、前記第１ネットワーク装置へ前記第１リンクのリンク品質の指示情報及び第１コードレートの指示情報を送信することを含むことを特徴とする請求項１１又は１２に記載の方法。
【請求項１４】
前記方法は、
前記第１端末装置が前記第１ネットワーク装置の送信した前記第１品質閾値の指示情報又は前記第２品質閾値の指示情報を受信し、
前記第１品質閾値又は前記第２品質閾値は推奨コードレートに基づき確定されるものであることを特徴とする請求項１３に記載の方法。
【請求項１５】
無線通信の装置であって、前記装置はメモリとプロセッサーを備え、前記メモリはコンピュータープログラムを記憶することに用いられ、前記プロセッサーは前記メモリから前記コンピュータープログラムを呼び出し実行することに用いられ、請求項１〜１０のいずれかに記載の方法又は請求項１１〜１４のいずれかに記載の方法を実行することを特徴とする無線通信の装置。
【手続補正２１】
【補正対象書類名】図面
【補正対象項目名】図３
【補正方法】変更
【補正の内容】
【図３】
2019533322.tif 000016
【手続補正２２】
【補正対象書類名】図面
【補正対象項目名】図４
【補正方法】変更
【補正の内容】
【図４】
2019533322.tif 000017
【国際調査報告】
2019533322.tif 000018
2019533322.tif 000019
2019533322.tif 000020
2019533322.tif 000021